(57)【特許請求の範囲】
【請求項１】
外側から内側へ、機能性材料キャリア層と皮膚に近い保温層とを少なくとも含み、
前記機能性材料キャリア層は、不透水の可撓性材料からなる密封式キャビティ構造であり、前記密封式キャビティに、発熱又は冷却用化学材料が少なくとも充填され、前記保温層は、防水保温機能を有する材料からなり、前記保温層が、ＰＥＴフィルム、配向ポリプロピレンフィルム、ナイロンフィルム、ポリエチレンフィルム又は無延伸ポリプロピレンフィルムと金属材料からなる金属被覆フィルムであり、
前記密封式キャビティ内に固−液相変化発熱用化学材料及び発熱開始装置が内蔵され、前記発熱開始装置は、固−液相変化発熱用化学材料による相変化発熱を開始させるために用いられており、
前記機能性材料キャリア層の少なくとも片側に液体貯蔵キャビティが更に設けられ、前記液体貯蔵キャビティは前記機能性材料キャリア層と一体的にプレス加工され、逆止弁付背圧弁により前記機能性材料キャリア層の前記密封式キャビティと連通し、前記液体貯蔵キャビティに液体が充填され、前記液体貯蔵キャビティが外力によって押し付けられるときに前記液体貯蔵キャビティにおける液体が前記逆止弁付背圧弁を通して前記密封式キャビティに導入されることにより、前記機能性材料キャリア層の温度を調節することを特徴とする、多機能を有する自己温度調節型フィルム。
【請求項２】
前記保温層は、ＰＥＴフィルム及び金属材料からなる金属化ＰＥＴフィルムであることを特徴とする、請求項１に記載の多機能を有する自己温度調節型フィルム。
【請求項３】
前記金属化ＰＥＴフィルムに使用する金属は、アルミニウム、ニッケル、又はクロムの中の一種、又は複数の混合物であることを特徴とする、請求項２に記載の多機能を有する自己温度調節型フィルム。
【請求項４】
前記可撓性材料は、プラスチック、合成ゴム、合成繊維、防水織物、防水紙のうちの一つであることを特徴とする、請求項１に記載の多機能を有する自己温度調節型フィルム。
【請求項５】
前記可撓性材料が透明であることを特徴とする、請求項４に記載の多機能を有する自己温度調節型フィルム。
【請求項６】
前記固−液相変化発熱用化学材料による相変化発熱において、発熱温度が４０−５５℃、発熱時間が５−３０分間であることを特徴とする、請求項１に記載の多機能を有する自己温度調節型フィルム。
【請求項７】
前記固−液相変化発熱用化学材料は酢酸ナトリウムの過飽和水溶液であり、前記発熱開始装置は可撓性金属薄片であり、前記可撓性金属薄片は、弧状を呈し、且つ表面に複数のシワが設けられ、前記酢酸ナトリウムの過飽和水溶液に位置することを特徴とする、請求項６に記載の多機能を有する自己温度調節型フィルム。
【請求項８】
前記酢酸ナトリウムの過飽和水溶液には、核生成剤をさらに含有することを特徴とする、請求項７に記載の多機能を有する自己温度調節型フィルム。
【請求項９】
前記核生成剤は、ホウ砂、硫酸ナトリウム、ケイ酸ナトリウム、ピロリン酸ナトリウム、リン酸水素二ナトリウム・１２水から選ばれる一種又は複数種であることを特徴とする、請求項８に記載の多機能を有する自己温度調節型フィルム。
【請求項１０】
外側から内側へ、機能性材料キャリア層と皮膚に近い保温層とを少なくとも含み、
前記機能性材料キャリア層は、不透水の可撓性材料からなる密封式キャビティ構造であり、前記密封式キャビティに、発熱又は冷却用化学材料が少なくとも充填され、前記保温層は、防水保温機能を有する材料からなり、前記保温層が、ＰＥＴフィルム、配向ポリプロピレンフィルム、ナイロンフィルム、ポリエチレンフィルム又は無延伸ポリプロピレンフィルムと金属材料からなる金属被覆フィルムであり、
前記密封式キャビティ内に、溶解吸熱型の固体状冷却用化学材料が充填され、前記機能性材料キャリア層の少なくとも片側に液体貯蔵キャビティが設けられ、前記液体貯蔵キャビティは前記機能性材料キャリア層と一体的にプレス加工され、逆止弁付背圧弁により前記機能性材料キャリア層の前記密封式キャビティと連通し、前記液体貯蔵キャビティに液体が充填され、前記液体貯蔵キャビティが外力によって押し付けられるときに前記液体貯蔵キャビティにおける液体が前記逆止弁付背圧弁を通して前記密封式キャビティに導入されることにより、前記固体状冷却用化学材料が溶解して吸熱し、降温させることを特徴とする、多機能を有する自己温度調節型フィルム。
【請求項１１】
前記固体状冷却用化学材料による溶解吸熱において、温度が−３−２０℃、冷却持続時間が５−３０分間であることを特徴とする、請求項１０に記載の多機能を有する自己温度調節型フィルム。
【請求項１２】
前記溶解吸熱型の固体状冷却用化学材料は、尿素、塩化アンモニウム、硝酸アンモニウムから選ばれる一種又は複数種であり、前記液体は純水であり、且つ前記固体状冷却用化学材料と前記純水の重量比は１：１であることを特徴とする、請求項１０に記載の多機能を有する自己温度調節型フィルム。
【請求項１３】
前記液体貯蔵キャビティにおける前記液体には増粘剤を含有することを特徴とする、請求項１又は１０に記載の多機能を有する自己温度調節型フィルム。
【請求項１４】
前記密封式キャビティ及び／又は前記液体貯蔵キャビティに、色素が更に充填されることを特徴とする、請求項１又は１０に記載の多機能を有する自己温度調節型フィルム。
【請求項１５】
前記フィルムは、人間工学的形状に加工され体の各部位に付与可能であることを特徴とする、請求項１−１２のうちいずれか１項に記載の多機能を有する自己温度調節型フィルム。
【請求項１６】
前記フィルムの前記保温層における皮膚と接触する表面上に、前記フィルムを使用者の身体の部位に固定するためのハイドロゲル層が更に設けられることを特徴とする、請求項１５に記載の多機能を有する自己温度調節型フィルム。
【請求項１７】
前記ハイドロゲル層に、外用薬の活性成分、外用サプリメントの活性成分、又はスキンケア製品の活性成分を更に含有することを特徴とする、請求項１６に記載の発熱保温型フィルム。
【請求項１８】
前記フィルムは、厚さが２−１５ｍｍであることを特徴とする、請求項１７に記載の多機能を有する自己温度調節型フィルム。
【請求項１９】
前記フィルムは外用薬、外用サプリメント、栄養パック、スキンケア製品とを組み合わせて使用することを特徴とする、請求項１５に記載の多機能を有する自己温度調節型フィルムの使用方法。
【請求項２０】
立体フェイスマスクは、少なくとも二枚のシートが互いにつながって、面部の立体的輪郭に合わせる形状になる、ことを特徴とする請求項１−１８のうちいずれか１項に記載の多機能を有する自己発熱保温型フィルムから製備された多機能を有する自己温度調節型立体フェイスマスク。
【請求項２１】
面部の左側及び右側にそれぞれ対応する左シート及び右シートの二枚のシートからなり、前記左シート及び右シートの先端部にそれぞれ接着材料が設けられ、且つ面部の中心線で互いに接着して面部の立体的輪郭に合わせる形状になることを特徴とする、請求項２０に記載の多機能を有する自己温度調節型立体フェイスマスク。
【請求項２２】
前記左シート及び右シートの先端部における人体の外鼻に対応する位置に、上から下へと外向きに突出した突出部が設けられ、前記突出部の下方に人体の口部に対応する開口部が設けられ、開口部の下部が一定のラジアンで円弧状になるように下向きに底端まで延伸し、前記左シート及び右シートのそれぞれの先端部において、人体の口部に対応する開口部を除く領域に接着材料が設けられ、且つ互いに接着されることを特徴とする、請求項２１に記載の多機能を有する自己温度調節型立体フェイスマスク。
【請求項２３】
前記左シート及び右シートの先端部おける前記突出部の上方に位置して眉間に対応する位置に、内向きに少し窪んだ凹弧が設けられることを特徴とする、請求項２２に記載の多機能を有する自己温度調節型立体フェイスマスク。
【請求項２４】
前記左シート及び右シートの先端部における前記突出部の上方に位置して目及び眉間に対応する位置に、内向きに窪んだ凹部が設けられ、前記左シート及び右シートの先端部には、人体の口部に対応する開口部、目及び眉間に対応する凹部を除く領域に接着材料が設けられ、且つ互いに接着されることを特徴とする、請求項２２に記載の多機能を有する自己温度調節型立体フェイスマスク。
【請求項２５】
前記フェイスマスクの左シート及び右シートの後端に、フェイスマスクを人体の頭部に固定するための固定テープが設けられ、前記固定テープの尾端に面ファスナーが設けられることを特徴とする、請求項２０−２４のうちいずれか１項に記載の自己発熱保温型立体フェイスマスク。
【請求項２６】
前記立体フェイスマスクは外用薬、外用サプリメント、栄養パック、スキンケア製品とを組み合わせて使用することを特徴とする、請求項２５に記載の多機能を有する自己温度調節型立体フェイスマスクの使用方法。
【請求項２７】
請求項１−１８のうちいずれか１項に記載の多機能を有する自己温度調節型フィルムから製備された、多機能を有する自己温度調節型フェイスマスク。
【請求項２８】
前記フェイスマスクは、人体の口部に対応する位置に孔が設けられ、鼻孔に対応する位置に開口部が設けられることを特徴とする、請求項２７に記載の多機能を有する自己温度調節型フェイスマスク。
【請求項２９】
前記フェイスマスクは、目に対応する位置に孔が設けられることを特徴とする、請求項２８に記載の多機能を有する自己温度調節型フェイスマスク。
【請求項３０】
前記フェイスマスクの両側に更に、フェイスマスクを人体の頭部に固定するための固定テープが設けられ、前記固定テープの尾端に面ファスナーが設けられることを特徴とする、請求項２９に記載の多機能を有する自己温度調節型フェイスマスク。
【請求項３１】
前記フェイスマスクは外用薬、外用サプリメント、栄養パック、スキンケア製品とを組み合わせて使用する
ことを特徴とする、請求項３０に記載の多機能を有する自己温度調節型フェイスマスクの使用方法。
【請求項３２】
請求項１−１８のうちいずれか１項に記載の多機能を有する自己温度調節型フィルムから製備された、多機能を有する自己温度調節型アイシート。
【請求項３３】
前記アイシートの両側に更に、耳掛け部が設けられ、前記耳掛け部に耳に掛けるための孔が設けられることを特徴とする、請求項３２に記載の多機能を有する自己温度調節型アイシート
【請求項３４】
前記アイシートの中心線の下半部にスリットが設けられることを特徴とする、請求項３３に記載の多機能を有する自己温度調節型アイシート。
【発明の詳細な説明】
【技術分野】
【０００１】
本発明は、多機能を有する自己温度調節型フィルムに関し、特に、発熱、冷却機能を有し、又は発熱機能及び冷却機能を併せ持つフィルムに関し、更に、該多機能を有する自己温度調節型フィルムにより製造された立体フェイスマスク、フェイスマスク及びアイシートに関する。
【背景技術】
【０００２】
温湿布は、血管の拡張、局所的な血行改善、代謝促進の効果があり、病気の回復を速めることができる。温湿布はまた、筋肉痙攣の緩和、炎症及び血行障害などの解消の効果があり、薬物を含んだ温湿布は、局所的吸収により、薬物を患部まで一気に運ぶことができ、これにより、治療の方向性がより明瞭になり、より効果的になる。
【０００３】
冷湿布は、血管を収縮させ、局所的充血を軽減させ、感覚神経に対して抑制し、痛みを軽減させ、症状を緩和させることができ、降温、止血、鎮痛及び腫れの解消の効果がある。
【０００４】
温湿布後に冷湿布を行う方法において、温湿布は、体中の血管を膨張、拡張させるのに対し、冷湿布は、体中の血管を収縮させて血行を加速させることで、治療対象部位の血行を速める。血行の加速により、体の細胞への酸素供給量及び栄養供給量を増加させるとともに、細胞による代謝廃物の排出を促進することで、細胞の代謝を加速させ、体のある部位での病気に対する効果的な治療を実現することができる。
【０００５】
従来、付帯的装置のない化学的温湿布には、１）初期温度が高すぎるため、低温やけどを引き起こしたり、貼着部位で組織の熱的損傷が生じることがよくある、２）発熱が均一でないため、局所的に温度が高すぎる、３）熱散逸が早すぎるため、発熱持続時間が短い、といった欠点がある。付帯的装置のない化学的冷却式アイスバッグには、１）冷却時間が短い、２）使用後に効果が不均一で、凍傷を引き起こしやすい、３）局所での凝縮水の集まりにより、冷湿布使用部位が湿気を帯びるようになり、人体の局所組織に貼着できない、といった欠点がある。また、従来の付帯的装置のない化学的温湿布、又は冷湿布では、いずれも自己温度調節を実現できず、使用者によって、異なる温度が要求されるということに応じられない。
【０００６】
また、従来、温湿布後に冷湿布を行うことが可能な製品は、構造が複雑で、コストが高くて操作しにくい。特許番号００２５２６２３．９の中国実用新案、及び出願番号０２１５９７５７．Ｘの中国特許のように、外部電源との接続や、冷却ウェハーの使用が必要である。
【０００７】
フェイスマスクは、スキンケア成分を載せたものとして、面部に１５−３０分間貼着して、スキンケア成分が皮膚により徐々に吸収されると、それを剥がすように使用する。フェイスマスクの役割は、メイク落としと洗顔と相まって、面部の洗浄を徹底したうえで、補水や保湿、美白、老化防止などのケア機能を実現することにある。
【０００８】
フェイスマスクというと、伸ばして面部に被覆させる一枚のシート状のものが一般的である。それは主として、面部を被覆している間、外部の空気と汚染から一時隔離し、毛穴を拡大させ、汗腺の分泌及び新陳代謝を加速させることで、皮膚による表皮細胞の代謝生成物及び蓄積された油脂類物質の排出を促進させ、フェイスマスク中の水分を表皮の角質層に浸入させ、皮膚を柔らかくすることにより、面部への洗浄効果及び美容効果を果たすものである。しかしながら、このようなフェイスマスクは効能が単純で、上記温湿布及び冷湿布のような効果を有しない。
【０００９】
後ほど開発された立体フェイスマスクは、二枚のシートが面部の中心線でつながって、面部の立体的輪郭に合わせる形状になるものであり、このような立体フェイスマスクは従来の平面状フェイスマスクと比べ、面部への貼着性能が向上するため、面部によりよく貼着し、脱落しにくくなるが、その効能が依然として単純で、上記温湿布及び冷湿布のような効果も有しない。
【００１０】
アイシートは、目の位置に貼着して使用する美容用品で、目へのケアに効果的な製品である。目への補水、疲れの解消、むくみやクマの迅速緩和のために利用されている。また、加齢による目元のシワに対し、ある程度の解消効果を表している。電子製品が日常生活の中でますます普及しており、その結果、人々は電子ディスプレイを長時間見つめなければならなくなり、それに伴う目の乾きや痛みは人々を悩ませている。睡眠不足や不規則な睡眠が加わると、目への悪影響がよりいっそう強まる。これにより、目のケアが重要になっている。
【００１１】
従来、アイシートとして、ヘチマ、蜂蜜と卵黄の混合物、シロキクラゲなど、ケア及び皮膚洗浄効果のある植物などを泥状に砕き、又は汁に煮たものを目の周りにつけて使用するものがある。市販のアイシート製品としては、シートにペンタペプチド、ヒアルロン酸ナトリウム、ビタミンＥ、ビタミンＢ３、鉱物質、又は天然成分などのエッセンスをつけて美容及びケア効果を果たすものが一般的である。しかしながら、このようなアイシート製品は、効能が単純で、上記温湿布及び冷湿布のような効果も有しない。
【発明の概要】
【発明が解決しようとする課題】
【００１２】
本発明は、従来技術における上記欠点を解消すべく、発熱、又は冷却時間の引き延ばし、発熱、又は冷却温度の限界値の改善に効果的で、熱が均一に分布し、且つスキンケア製品、外用薬、又はサプリメントなどとともに使用できる多機能を有する自己温度調節型フィルムを提供することを目的とする。その技術的解決手段は、以下のとおりである：多機能を有する自己温度調節型フィルムであって、前記フィルムは外側から内側へ、機能性材料キャリア層と皮膚に近い保温層とを少なくとも含む。具体的に、前記機能性材料キャリア層は、不透水の可撓性材料からなる密封式キャビティ構造であり、前記密封式キャビティに、発熱又は冷却用化学材料が少なくとも充填される。前記保温層は、防水保温機能を有する材料からなる。
【課題を解決するための手段】
【００１３】
従来技術と比べ、本技術的解決手段は、防水保温機能を有する材料からなる発熱層を増設するため、使用時に、発熱用化学材料を使用した場合、前記保温層の設置により、機能性材料キャリア層からの放熱が皮膚に均一且つ安定的に伝達され、且つ皮膚に伝達された熱が直ちに散逸することが回避され、これにより、初期温度が高すぎるため低温やけどを引き起こす恐れを解消し、且つ皮膚の温度を適切な範囲に効果的且つ安定的に維持する。冷却用化学材料を使用した場合、前記保温層の設置により、前記機能性材料キャリア層中の冷却用化学材料が皮膚の熱を一瞬にして吸収することができず、これにより局所の凍傷が回避され、前記機能性材料キャリア層と皮膚との間に均一且つ安定的な熱交換が行われ、皮膚の温度を適切な範囲に効果的且つ安定的に維持し、且つ冷却持続時間が顕著に引き延ばされる。本発明の多機能を有する自己温度調節型フィルムは、上記機能性材料キャリア層及び保温層による二層構造に限定せず、実際に使用するとき、該フィルムは、包装層、接着層などを更に含むことができる。
【００１４】
本発明の更なる改良形態として、前記保温層はＰＥＴフィルム及び金属材料からなる金属化ＰＥＴフィルム（ｍｅｔａｌｌｉｚｅｄ  ｐｏｌｙｅｔｈｙｌｅｎｅ  ｔｅｒｅｐｈｔｈａｌａｔｅ（ＭＰＥＴ））とする。一実施例において、保温層は物理気相成長プロセスによりＰＥＴフィルムを金属化することで形成される。真空条件下で、加熱などの物理的方法により、金属表面を気化させ、気化した金属原子を金属蒸気源付近の冷ＰＥＴフィルムに凝集、又は沈積せしめるものである。該金属化ＰＥＴフィルムとして、金色又は銀色のものが一般的であるが、他の色での被覆も可能である。一実施例において、金属化ＰＥＴフィルムに使用する金属はアルミニウムとし、無論、ニッケル、又はクロムなど他の金属や、金属組成物とすることもできる。金属化ＰＥＴフィルムが金属箔よりはるかに薄く、その厚さは０．５ミクロン以下である。金属化ＰＥＴフィルムは可撓性に優れ、皮膚によく貼着でき、且つ防水効果に優れ、経時的色褪せ、又は変色が生じない。また更に、金属化ＰＥＴフィルムは保温性能に優れ、金属の導入は、機能性材料キャリア層と皮膚との間で安定的で、均一な熱交換を行うことに役立ち、これにより効果的な体温調節を実現することができる。且つ、金色又は銀色の金属被覆フィルムは製品に美感を与え、使い心地向上の効果がある。ポリエチレンテレフタラート（ＰＥＴ）フィルムの他に、配向ポリプロピレン（ＯＰＰ）フィルム、ナイロン、ポリエチレン及び無延伸ポリプロピレンも本発明における金属被覆プロセスに使用することができる。
【００１５】
本発明の更なる改良形態として、本発明に記載の可撓性材料はプラスチック、合成ゴム、合成繊維、防水織物、防水紙のうちの一つである。本発明の可撓性材料について、具体的に限定せず、防水性を有し、且つ密封できるものであればよい。本発明の更なる改良形態として、本発明において、密封式キャビティ内の冷却、又は発熱用化学材料の形態、色などを観察しやすいように、透明な可撓性材料を使用する。好ましくは、本発明に記載の可撓性材料はＰＶＣ材料とする。
【００１６】
本発明の一実施例において、前記密封式キャビティ内に固−液相変化発熱用化学材料及び発熱開始装置が内蔵され、前記発熱開始装置は、固−液相変化発熱用化学材料による相変化発熱を開始させるために用いられる。固−液相変化（ｐｈａｓｅ  ｃｈａｎｇｅ）発熱用化学材料とは、固−液相変化時に熱の吸収、又は放出を伴う物質を指す。固−液相変化材料は、エネルギー貯蔵密度が大きく、効率が高く、略恒温状態で熱を吸収、放出するなどの利点を有する。実施時、固−液相変化発熱用化学材料として、有機物（パラフィン、酸やエステルなど）及び無機物（無機含水塩、溶融塩、金属など）の二種類がある。その中で最も広く使用されているのは無機含水塩であり、無機含水塩は、中温、低温相変化材料において重要な種類であり、融点範囲が１０℃以内から１００℃超までの約７０の相変化材料を提供する。本発明において、所定温度及び用途によって、無機含水塩相変化材料を選択することができる。具体的な実施形態において、要求される温度によっては、アルカリ及びアルカリ土類金属のハロゲン化物、硫酸塩、硝酸塩、リン酸塩、炭酸塩及び酢酸塩などとすることが可能である。無機含水塩相変化材料によるエネルギー貯蔵の原理としては、含水塩を融点に加熱し、含水塩が吸熱して脱水し、無水塩（又は結晶水を少なく含む他の含水塩）になり、その一部は解き放たれた水に溶解して飽和溶液を形成する。系のバランスが取れなくなると、塩が再び水分子と結合して含水結晶体を形成し、同時に吸収した熱を放出する。具体的な実施形態において、本発明のフィルムは含水塩の脱水−水和反応により熱の貯蔵及び吸収を行う。前記発熱開始装置、すなわち異物、又は激しく振動できる装置などの相変化開始装置については、特に限定せず、発熱開始装置は、その近くの相変化材料の安定的なバランス状態を破壊でき、そして結晶核が生成し、再び水分子と含水結晶体を形成する。
【００１７】
本発明の更なる改良形態として、前記固−液相変化発熱用化学材料による相変化発熱において、発熱温度が４０−５５℃、発熱時間が５−３０分間である。一般的に、機能性材料キャリア層が使用者の皮膚を所定温度に加熱して、不具合をきたすことなく有効な熱供給を行うことができる。例えば、本発明のフィルムは使用者の皮膚の温度を約３８−５５℃に上げることができ、用途によっては、その加熱持続時間を１５分間以上、３０分間以上、更に１時間以上とすることもある。発熱温度及び発熱時間を固−液相変化材料の選択及び充填量により決めることができる。
【００１８】
本発明の更なる改良形態として、前記固−液相変化発熱用化学材料は酢酸ナトリウム（ＣＨ２ＣＯＯＮａ）の過飽和水溶液であり、前記発熱開始装置は可撓性金属薄片であり、前記可撓性金属薄片は弧状を呈し、且つ表面に複数のシワを設けることで、折り曲げやすくし、前記可撓性金属薄片は前記酢酸ナトリウムの過飽和水溶液に位置する。酢酸ナトリウム三水和物は、低温無機相変化材料として使用される無機含水塩であり、融点が５８℃で、融解熱が２６４Ｊ／ｇと大きく、且つ熱伝導性に優れ、無毒で、安価で、入手しやすい。可撓性金属薄片を手で折り曲げ、又は押圧することで振動させ、酢酸ナトリウムの過飽和水溶液のバランス状態を破壊し、酢酸ナトリウムを結晶化、放熱させ、約４０−５５℃に達することができる。本発明のフィルムを、約８０℃の温水に３−５分浸して、酢酸ナトリウム結晶体を完全に溶解させ、使用時に可撓性金属薄片を用いて酢酸ナトリウムの過飽和水溶液を結晶化、放熱させることで繰り返し使用することができる。
【００１９】
本発明の更なる改良形態として、前記酢酸ナトリウムの過飽和水溶液に核生成剤を含有する。酢酸ナトリウムの相変化過程で過冷却及び相分離が生じやすく、本発明において、過冷却とは、繰り返し使用後に、発熱開始装置を起動させると、液体状態の物質に結晶化させることができないため、相変化温度を変動させ、固−液平衡温度から離れる現象をいい、過冷却による不結晶化のため、貯蔵された潜熱を放出することができない。本発明において、相分離（ｐｈａｓｅ  ｓｅｐａｒａｔｉｏｎ）とは、繰り返し使用後に、酢酸ナトリウムが沈殿し結晶水と結合せず、分層現象が生じるため、酢酸ナトリウムの熱貯蔵能力を大幅に低下させ、その耐用時間を短縮させることをいう。核生成剤を含有することにより、酢酸ナトリウムの過冷却及び相分離現象を効果的に抑制して、本発明に記載のフィルムの発熱時の安定性を確保し、繰り返し使用回数を増やすことができる。本発明の更なる改良形態として、前記核生成剤はホウ砂、硫酸ナトリウム、ケイ酸ナトリウム、ピロリン酸ナトリウム、リン酸水素二ナトリウム・１２水から選ばれる一種又は複数種である。
【００２０】
本発明の更なる改良形態として、前記機能性材料キャリア層の少なくとも片側に液体貯蔵キャビティが更に設けられ、前記液体貯蔵キャビティは前記機能性材料キャリア層と一体的にプレス加工され、逆止弁付背圧弁により前記機能性材料キャリア層の前記密封式キャビティと連通し、前記液体貯蔵キャビティに液体が充填され、前記液体貯蔵キャビティが外力によって押し付けられるときに前記液体貯蔵キャビティにおける液体が前記逆止弁付背圧弁を通して前記密封式キャビティに導入されることにより、前記機能性材料キャリア層の温度を調節する。逆止弁付背圧弁の設置により、液体が液体貯蔵キャビティから機能性材料キャリア層の密封式キャビティに入ることしかできず、逆に密封式キャビティから液体貯蔵キャビティに入ることができないよう保証する。実際に使用するとき、使用者によって、要求される温度が異なり、従来の温湿布は、付帯的装置のない状況において、温度を調節するのが困難である。本設計において、使用者は、機能性材料キャリア層の温度が高すぎ、温度を下げたいとき、液体貯蔵キャビティを押し付けて、その内部の液体（例えば、水）の一部、又は全部を密封式キャビティに押し込み、固−液相変化発熱用化学材料と混合させ、吸熱反応を行わせて、前記機能性材料キャリア層の温度を適宜下げることができる。又は、使用者が温湿布を使い終えた後、すなわち前記機能性材料キャリア層の温度が室温まで下がり、冷湿布したいとき、上記と同様な操作により、前記機能性材料キャリア層を降温冷却させることで、温湿布後に冷湿布を行うことを実現できる。具体的な実施形態において、降温冷却効果は、必要に応じて、固−液相変化発熱用化学材料及び／又は液体貯蔵キャビティ内の液体を適宜選択し、又はその充填量を調整することで、９−２０℃の最終温度、５−３０分間の冷却持続時間を実現することができる。すなわち、本設計により、本発明のフィルムは発熱及び冷却機能を併せ持つようになる。
【００２１】
本発明の一実施例において、前記密封式キャビティ内に、溶解吸熱型の固体状冷却用化学材料が充填され、前記機能性材料キャリア層の少なくとも片側に液体貯蔵キャビティが設けられ、前記液体貯蔵キャビティは前記機能性材料キャリア層と一体的にプレス加工され、逆止弁付背圧弁により前記機能性材料キャリア層の前記密封式キャビティと連通し、前記液体貯蔵キャビティに液体が充填され、前記液体貯蔵キャビティが外力によって押し付けられるときに前記液体貯蔵キャビティにおける液体が前記逆止弁付背圧弁を通して前記密封式キャビティに導入されることにより、前記固体状冷却用化学材料が溶解して吸熱し、降温させる。前記密封キャビティ及び前記液体貯蔵キャビティにおいて、化学反応により大量に吸熱して冷却効果を実現させるために、異なる物質がそれぞれ充填される。例えば、前記密封式キャビティ内の固体状冷却用化学材料はチオ硫酸ナトリウム、前記液体貯蔵キャビティ内の液体は硝酸アンモニウムとし、液体貯蔵キャビティを押し付けて、両者を混合させると、化学反応を行い吸熱し、降温させることができる。且つ、使用者は逆止弁付背圧弁によって、機能性材料キャリア層に入る液体の量を手動で制御することができ、これにより、必要に応じて温度を制御して、冷湿布使用中の温度調節を実現することができる。
【００２２】
本発明の更なる改良形態として、前記固体状冷却用化学材料による溶解吸熱において、温度が−３−２０℃、冷却持続時間が５−３０分間である。一般的に、機能性材料キャリア層が使用者の皮膚を所定温度まで冷却させて、不具合をきたすことなく所望の効果を実現することができる。用途によっては、その冷却持続時間を１５分間以上、３０分間以上、更に１時間以上とすることもある。冷却温度及び冷却時間を、密封キャビティと液体貯蔵キャビティ内の物質の選択及び充填量により決めることができる。
【００２３】
本発明の更なる改良形態として、前記溶解吸熱型の固体状冷却用化学材料は、尿素、塩化アンモニウム、硝酸アンモニウムから選ばれる一種又は複数種であり、好ましくは、尿素であり、前記液体は純水とし、且つ前記固体状冷却用化学材料と前記純水の重量比は１：１とする。これら冷却剤は、広く市販されている農用肥料であり、安価で入手しやすく、環境汚染を引き起こすことはなく、冷却効果に優れる。
【００２４】
本発明の更なる改良形態として、上記冷却、又は発熱に関する技術的解決手段において、前記液体貯蔵キャビティ内に一定量の増粘剤を含有する。増粘剤を含有することにより、液体貯蔵キャビティ内の液体（例えば、水）が機能性材料キャリア層に注入されると、重力の作用によりフィルムの下部に集中し、液体の流れを妨げることが回避され、これにより機能性材料キャリア層における液体の分布をより均一にし、発熱反応、又は吸熱反応をより安定的にし、機能性材料キャリア層全体の温度をより均一にし、使い心地を向上させる。増粘剤としては、でん粉、キサンタンガム、ゼラチン、グアーガム、天然ゴム、寒天などの天然増粘剤、メチルセルロース、ヒドロキシエチルセルロース、ヒドロキシプロピルメチルセルロース、カルボキシメチルセルロースナトリウムなどのセルロース系増粘剤、有機ベントナイト、珪藻土、気相成長ホワイトカーボン、Ｎａ型ベントナイト、シリカゲルなどの無機増粘剤、ポリウレタン増粘剤、ポリアクリル酸ナトリウム、ポリビニルアルコール、ポリアクリルアミド、ポリビニルピロリドン、ポリエチレングリコール、カルボマー、ポリアクリル酸、ポリアクリル酸エステル共重合エマルジョンなどの合成高分子増粘剤がある。
【００２５】
本発明の更なる改良形態として、冷却、又は発熱に関する技術的解決手段において、前記密封式キャビティ、及び／又は前記液体貯蔵キャビティに更に色素が充填される。例えば、酢酸ナトリウムの過飽和溶液を機能性材料キャリア層（好ましくは、透明な材料）に添加して密封する前に、赤色、ピンク、オレンジ色、又は黄色などの暖色色素、液体貯蔵キャビティ内の純水を密封する前に、青色、紫色などの寒色色素を適宜添加することができる。温湿布開始時に、暖色が表示され、温度が室温まで下がると、液体貯蔵キャビティを押し付けて、その内部の純水を機能性材料キャリア層に押し込むとき、寒色色素は機能性材料キャリア層内の色素の色を変えることができる。合理的な色の組み合わせにより、使用者は、フィルムの表示色によって、現在段階とその進み具合を確認することができ、これにより、フィルムの機能が理解しやすくなる。
【００２６】
本発明の具体的な実施形態において、本発明の多機能を有する自己温度調節型フィルムは、人間工学的形状に加工され、頸部、膝、腿、背部、腰部、手など、温湿布及び／又は冷湿布をしたい身体の部位に付与可能である。本発明のフィルムの形状について限定を加えず、それと接触した身体の部位に合わせる形状であればよい。具体的には、円形、楕円形、長方形、環形、ハート形、三角形、又はアニメキャラに似せた形状などとすることができる。身体の部位に固定するために、従来の化学的方法（例えば、接着により衣類に貼り付ける）の他に、結い紐、面ファスナー、又はボタンなどの物理的方式により、フィルムを身体の部位に固定することもできる。
【００２７】
本発明の更なる改良形態として、本発明の多機能を有する自己温度調節型フィルムの保温層の皮膚と接触する表面上に前記フィルムを使用者の身体の部位に固定するためのハイドロゲル層が更に設けられる。ハイドロゲル（Ｈｙｄｒｏｇｅｌ）は接着剤として、フィルムを身体の部位に固定することができる。ハイドロゲルは水を分散媒とし、ゲルを皮膚に貼り付けると、体温の影響によりゲル内部の物理的構造が固体から液体状態に変わり、且つ皮膚内に浸入する。これにより、本発明の更なる改良形態として、ハイドロゲル基質にコラーゲン、ヒアルロン酸、アルブチン、ニコチンアミド、精油、又は他のサプリメント、外用薬の活性成分などの機能性成分を含有することができる。本発明のフィルムは防水保温機能のある保温層を有するため、ハイドロゲル中の水分が機能性材料キャリア層の発熱／冷却温度の限界値、発熱／冷却効果に影響することは回避される。
【００２８】
本発明の一実施例において、多機能を有する自己温度調節型フィルムは面部に貼着するフェイスマスクに加工され、面部に面部に付与される。前記機能性材料キャリア層の両側に細長い帯状に加工される液体貯蔵キャビティが設けられ、前記液体貯蔵キャビティに前記フェイスマスクを頭部に固定するための固定装置が設けられる。本発明の多機能を有する自己温度調節型フィルムは、温湿布、冷湿布として、又は温湿布と冷湿布との交互で使用することができ、これにより、使用者の様々なニーズを満たすことができる。特に、交互使用の場合、毛穴を収縮させ、血行を促進し、毛穴開きの緩和、毛穴に残留した角質などの汚れを高度除去することができ、これにより、肌を緻密にし、きめ細かくするなど、美容効果及びスキンケア効果を得ることができる。関連研究により、皮膚を４０℃前後に繰り返し昇温させることは、熱ショックタンパク質（ＨＳＰ）の合成、皮膚細胞の修復、及び皮膚の弾力性の向上を促進させ、これによりシワの形成を防止できることは明らかになる。本発明の解決手段において、４０℃前後での温湿布の役割は、毛穴を拡大させ、高度洗浄し、活性成分を高度浸透させることである。それに続く冷湿布は、皮膚の毛穴を迅速に収縮させ、皮膚中の水分を引き留め、皮膚をよりきめ細かくすることができる。温湿布と冷湿布によるケアで、化粧しなくても肌につやを出すと同時に、ダメージを受けた細胞を修復し、シワやソバカスの形成を防止することができる。
【００２９】
上記実施例の更なる好適な形態として、前記フェイスマスクの厚さを２−１５ｍｍとする。該厚さ範囲により、前記フィルムの構造に求められた厚さ、発熱温度及び発熱時間を実現できるだけでなく、面部によく貼着することができる。フェイスマスクのサイズは普通のフェイスマスクのサイズでよい。
【００３０】
本発明は、多機能を有する自己温度調節型フィルムの使用方法を更に提供する。実際に使用するとき、本発明の自己温度調節型フィルムは、保温及び／又は降温のほか、皮膚による外用薬、又は外用サプリメントの吸収を促進することができる。一実施例において、前記フィルムを貼着する前に、身体の部位にスキンケア製品、外用薬、精油又は外用サプリメントを塗布しておき、次いで固定手段により前記フィルムを身体の部位に固定する。
【００３１】
本発明は多機能を有する自己温度調節型フィルムの使用方法を更に提供する。フェイスマスクをつける前に、面部に従来の栄養パック、又はスキンケア製品を塗布しておく。本発明のフィルムは、温度調節を実現できるため、皮膚によるスキンケア製品の有効成分に対する吸収を向上させることができ、また、スキンケア製品の使用量を減らしながらスキンケア効果を高めることができる。
【００３２】
本発明の多機能を有する自己温度調節型フィルムは、構造がシンプルでありながら、発熱、冷却、発熱兼冷却の種々機能を有し、環境資源に制限されず、外部からのエネルギー供給を不要とし、安全に、安定的に、且つ均一に発熱／冷却することができ、発熱／冷却時間を効果的に引き延ばすことができる。特に、液体貯蔵キャビティの設置により、使用者によって、要求される温度が異なるというニーズを満たすことができるため、従来、温湿布／冷湿布の機能が単純で、温度調節が実現しにくく、又は温度調節において、外部からのエネルギー供給が必要不可欠で、操作しにくいという欠点が解消される。且つ、本発明の多機能を有する自己温度調節型フィルムは、低コストで、冷却／発熱物質は使用後に、毒素や環境汚染を生じず、更に、回収して土壌の質を改善する材料として再利用することができる。
【００３３】
本発明のもう一つの目的は、発熱、冷却により面部への温湿布及び冷湿布として使用できる立体フェイスマスクを提供することである。該立体フェイスマスクは、発熱、又は冷却時間の引き延ばし、発熱、又は冷却温度の限界値の改善に効果的で、熱が均一に分布する。技術的解決手段は以下のとおりである：多機能を有する自己温度調節型立体フェイスマスクであって、前記立体フェイスマスクは、少なくとも二枚のシートが互いにつながって、面部の立体的輪郭に合わせる形状になるものであり、前記フィルムは、外側から内側へ、機能性材料キャリア層と皮膚に近い保温層とを少なくとも含む。具体的に、前記機能性材料キャリア層は、不透水の可撓性材料からなる密封式キャビティ構造であり、前記密封式キャビティに、発熱、又は冷却用化学材料が少なくとも充填される。前記保温層は、防水保温機能を有する材料からなる。本発明の多機能を有する自己温度調節型立体フェイスマスクは、上記機能性材料キャリア層及び保温層による二層構造に限定せず、実際に使用するとき、該立体フェイスマスクは、包装層、接着層などを更に含むことができる。
【００３４】
本発明の更なる改良形態として、前記立体フェイスマスクの保温層はＰＥＴフィルム及び金属材料からなる金属化ＰＥＴフィルムである。本発明の更なる改良形態として、前記立体フェイスマスクの前記可撓性材料はプラスチック、合成ゴム、合成繊維、防水織物、防水紙の一つである。
【００３５】
本発明の一実施例において、前記立体フェイスマスクの密封式キャビティ内に固−液相変化発熱用化学材料及び発熱開始装置が内蔵され、前記発熱開始装置は、前記固−液相変化発熱用化学材料による相変化発熱を開始させるために用いられる。上記したように、該設計により、本発明の立体フェイスマスクは発熱機能を有するようになる。本発明の更なる改良形態として、前記立体フェイスマスクの固−液相変化発熱用化学材料による相変化発熱において、発熱温度が４０−５５℃、発熱時間が５−３０分間である。
【００３６】
本発明の更なる改良形態として、前記立体フェイスマスクの固−液相変化発熱用化学材料は酢酸ナトリウムの過飽和水溶液であり、前記発熱開始装置は可撓性金属薄片であり、前記可撓性金属薄片は、弧状を呈し、且つ表面に複数のシワを設けることで、折り曲げやすくし、前記可撓性金属薄片は前記酢酸ナトリウムの過飽和水溶液に位置する。本発明の更なる改良形態として、前記立体フェイスマスクにおける酢酸ナトリウムの過飽和水溶液に核生成剤を含有する。本発明の更なる改良形態として、前記立体フェイスマスクにおける核生成剤は、ホウ砂、硫酸ナトリウム、ケイ酸ナトリウム、ピロリン酸ナトリウム、リン酸水素二ナトリウム・１２水から選ばれる一種又は複数種である。
【００３７】
本発明の更なる改良形態として、前記立体フェイスマスクにおける前記機能性材料キャリア層の少なくとも片側に液体貯蔵キャビティが更に設けられ、前記液体貯蔵キャビティは前記機能性材料キャリア層と一体的にプレス加工され、逆止弁付背圧弁により前記機能性材料キャリア層の前記密封式キャビティと連通し、前記液体貯蔵キャビティに液体が充填され、前記液体貯蔵キャビティが外力によって押し付けられるときに前記液体貯蔵キャビティにおける液体が前記逆止弁付背圧弁を通して前記密封式キャビティに導入されることにより、前記機能性材料キャリア層の温度を調節する。上記したように、該設計により、本発明の立体フェイスマスクは、発熱及び冷却機能を併せ持つようになる。
【００３８】
本発明の一実施例において、前記立体フェイスマスクの前記密封式キャビティ内に、溶解吸熱型の固体状冷却用化学材料が充填され、前記機能性材料キャリア層の少なくとも片側に液体貯蔵キャビティが設けられ、前記液体貯蔵キャビティは前記機能性材料キャリア層と一体的にプレス加工され、逆止弁付背圧弁により前記機能性材料キャリア層の前記密封式キャビティと連通し、前記液体貯蔵キャビティに液体が充填され、前記液体貯蔵キャビティが外力によって押し付けられるときに前記液体貯蔵キャビティにおける液体が前記逆止弁付背圧弁を通して前記密封式キャビティに導入されることにより、前記固体状冷却用化学材料が溶解して吸熱し、降温させることができる。上記したように、該設計により、前記立体フェイスマスクは冷却機能を有するようになる。
【００３９】
本発明の更なる改良形態として、前記立体フェイスマスクにおける固体状冷却用化学材料による溶解吸熱において、温度が−３−２０℃、冷却持続時間が１０−３０分間である。本発明の更なる改良形態として、前記立体フェイスマスクにおける溶解吸熱型の固体状冷却用化学材料は、尿素、塩化アンモニウム、硝酸アンモニウムから選ばれる一種又は複数種であり、好ましくは、尿素であり、前記液体は純水であり、且つ前記固体状冷却用化学材料と前記純水の重量比は１：１である。
【００４０】
本発明の更なる改良形態として、上記冷却、又は発熱に関する技術的解決手段において、前記立体フェイスマスクの液体貯蔵キャビティ内の液体に一定量の増粘剤を含有する。本発明の更なる改良形態として、冷却、又は発熱に関する技術的解決手段において、前記立体フェイスマスクの密封式キャビティ、及び／又は前記液体貯蔵キャビティに、色素が更に充填される。
【００４１】
本発明の更なる改良形態として、前記立体フェイスマスクの厚さを２−１５ｍｍとする。本発明の更なる改良形態として、本発明の多機能を有する自己温度調節型立体フェイスマスクの保温層の皮膚と接触する表面上に前記フェイスマスクを使用者の身体の部位に固定するためのハイドロゲル層が更に設けられる。
【００４２】
本発明の一実施例として、前記立体フェイスマスクは、面部の左側及び右側にそれぞれ対応する左シート及び右シートの二枚のシートからなり、前記左シート及び右シートの先端部にそれぞれ接着材料が設けられ、且つ面部の中心線で互いに接着して面部の立体的輪郭に合わせる形状になる。一般的に、左シートと右シートは面部の中心線に関して対称であり、左シートと右シートを互いに接着させて面部の立体的輪郭に合わせる形状になることにより、面部によりよく貼着でき、従来の一枚のシート状の平面フェイスマスクを面部に貼着するとき、シワが生じやすくて面部への均一な貼着が困難であり、面部への洗浄効果及び美容効果を損なうという欠点を解消することができる。且つ、面部へのより均一で緊密な貼着により、温湿布、又は冷湿布が均一になる効果を得ることはできる。
【００４３】
本発明の上記技術的解決手段の改良形態として、前記左シート及び右シートの先端部の、人体の外鼻に対応する位置に上から下へと外向きに突出した突出部が設けられ、前記突出部の下方に人体の口部に対応する開口部が設けられ、開口部の下部が一定のラジアンで円弧状になるように下向きに底端まで延伸し、前記左シート及び右シートのそれぞれの先端部において、人体の口部に対応する開口部を除く領域に接着材料が設けられ、且つ互いに接着される。左シートの先端部及び右シートの先端部は、いずれも外鼻に対応する位置に上から下へと突起した突起部があるため、左シートと右シートが接着されると、外鼻部において自然に上から下へと突起して、外鼻によく貼着する。人体の口部に対応する開口部の下方に、先端部が一定のラジアンで円弧をなして下向きに延伸し底端に至り、これにより、左シートと右シートが接着されると、その下部に人体の顎部と自然に合わせて貼着する曲面が形成され、これにより面部によく貼着している。
【００４４】
本発明の上記技術的解決手段の改良形態として、本発明の立体フェイスマスクは口部に対応する開口部を除き、残りの部位が全部密封される密封型とすることができ、好ましくは、前記左シート及び右シートの先端部において、前記突起部の上方に位置し、眉間に対応する位置に内向きに少し窪んだ凹弧があり、無論、凹弧には接着材料が設けられる。前記突起部の上方の、眉間に対応する位置に内向きに少し窪んだ凹弧があるため、左シートと右シートが接着されると、該凹弧部、すなわち眉間及び外鼻の鼻根に対応する位置において、内向きに少し窪んだ凹みが形成され、これにより、眉間及び鼻根の窪んだ位置によりよく貼着できる。本密封型の立体フェイスマスクは、口及び鼻を除く面部の大部分の領域に対して、全面的な洗浄、ケアのほか、温湿布及び冷湿布を行うことができる。且つ、フェイスマスクにおける機能性材料キャリア層及び保温層により目をケアし、温湿布及び冷湿布としての効果を得るとともに、眼球乾燥症を予防することができる。
【００４５】
本発明の上記技術的解決手段のもう一つの改良形態として、本発明の立体フェイスマスクは、口部及び目に対応する開口部を有する目露出型とすることができ、フェイスマスクをつけた後、目が露出しており、この場合、前記左シート及び右シートの先端部において、前記突起部の上方に位置し、目及び眉間に対応する位置に更に、内向きに窪んだ凹部があり、この凹部は略半楕円状、又は略半円状とすることができるが、左シートと右シートを接着させた後、目が適宜露出しており、フェイスマスクに被覆されていない部分を多く出さないものであればよい。この場合、前記左シート及び右シートのそれぞれの先端部において、人体の口部に対応する開口部に接着材料を設けず、また、目に対応する凹部に接着材料を設けない。すなわち、先端部において、人体の口部に対応する開口部、目及び眉間に対応する凹部を除く領域に接着材料が設けられ、且つ互いに接着される。
【００４６】
更に、前記フェイスマスクの左シート及び右シートの後端に、フェイスマスクを人体の頭部に固定するための固定テープがあり、前記固定テープの尾端に面ファスナーがある。
【００４７】
本発明の多機能を有する自己温度調節型立体フィルムは、温湿布、冷湿布として、又は温湿布と冷湿布との交互で使用することができ、これにより、使用者の様々なニーズを満たすことができる。特に、交互使用の場合、毛穴を収縮させ、血行を促進し、毛穴開きの緩和、毛穴に残留した角質などの汚れを高度除去することができ、これにより、肌を緻密にし、きめ細かくするなど、美容効果及びスキンケア効果を得ることができる。関連研究により、皮膚を４０℃前後に繰り返し昇温させることは、熱ショックタンパク質（ＨＳＰ）の合成、皮膚細胞の修復及び皮膚の弾力性の向上を促進させ、これによりシワの形成を防止できることは明らかになる。本発明の解決手段において、４０℃前後での温湿布の役割は、毛穴を拡大させ、高度洗浄し、活性成分を高度浸透させることである。それに続く冷湿布は、皮膚の毛穴を迅速に収縮させ、皮膚中の水分を引き留め、皮膚をよりきめ細かくすることができる。温湿布と冷湿布によるケアで、化粧しなくても肌につやを出すと同時に、ダメージを受けた細胞を修復し、シワやソバカスの形成を防止することができる。
【００４８】
本発明は、多機能を有する自己温度調節型立体フェイスマスクの使用方法を更に提供する。実際に使用するとき、本発明の自己温度調節型立体フェイスマスクは、上記温湿布、又は冷湿布として使用するほか、スキンケア製品の有効成分に対する吸収を向上させるために用いることもできる。一実施例において、前記立体フェイスマスクを貼着する前に、面部に従来の栄養パックもしくはスキンケア製品を塗布しておき、又はスキンケア製品を前記保温層の皮膚と接触する表面に塗布しておき、フェイスマスクの左シートと右シートを一体的に接着させて、接着済みの立体フェイスマスクを面部に貼着する。
【００４９】
本発明のもう一つの目的は、発熱、冷却により面部への温湿布及び冷湿布として使用できるフェイスマスクを提供することである。該フェイスマスクは、発熱、又は冷却時間の引き延ばし、発熱、又は冷却温度の限界値の改善に効果的で、熱が均一に分布する。具体的に、技術的解決手段は以下のとおりである：多機能を有する自己温度調節型フェイスマスクであって、前記フェイスマスクは、外側から内側へ、機能性材料キャリア層と皮膚に近い保温層とを少なくとも含む。具体的に、前記機能性材料キャリア層は、不透水の可撓性材料からなる密封式キャビティ構造であり、前記密封式キャビティに、発熱又は冷却用化学材料が少なくとも充填される。前記保温層は、防水保温機能を有する材料からなる。本発明の多機能を有する自己温度調節型フェイスマスクは、上記機能性材料キャリア層及び保温層による二層構造に限定せず、実際に使用するとき、該立体フェイスマスクは、包装層、接着層などを更に含むことができる。
【００５０】
本発明の更なる改良形態として、前記フェイスマスクの保温層はＰＥＴフィルム及び金属材料からなる金属化ＰＥＴフィルムとする。本発明の更なる改良形態として、前記フェイスマスクの前記可撓性材料はプラスチック、合成ゴム、合成繊維、防水織物、防水紙のうちの一つである。
【００５１】
本発明の一実施例において、前記フェイスマスクの密封式キャビティ内に固−液相変化発熱用化学材料及び発熱開始装置が内蔵され、前記発熱開始装置は、前記固−液相変化発熱用化学材料による相変化発熱を開始させるために用いられる。上記したように、該設計により、本発明のフェイスマスクは発熱機能を有するようになる。本発明の更なる改良形態として、前記フェイスマスクの固−液相変化発熱用化学材料による相変化発熱において、発熱温度が４０−５５℃、発熱時間が５−３０分間である。
【００５２】
本発明の更なる改良形態として、前記フェイスマスクの固−液相変化発熱用化学材料は酢酸ナトリウムの過飽和水溶液であり、前記発熱開始装置は可撓性金属薄片であり、前記可撓性金属薄片は、弧状を呈し、且つ表面に複数のシワを設けることで、折り曲げやすくし、前記可撓性金属薄片は前記酢酸ナトリウムの過飽和水溶液に位置する。本発明の更なる改良形態として、前記フェイスマスクにおける酢酸ナトリウムの過飽和水溶液に核生成剤を含有する。本発明の更なる改良形態として、前記核生成剤は、ホウ砂、硫酸ナトリウム、ケイ酸ナトリウム、ピロリン酸ナトリウム、リン酸水素二ナトリウム・１２水から選ばれる一種又は複数種である。
【００５３】
本発明の更なる改良形態として前記フェイスマスクにおける機能性材料キャリア層の少なくとも片側に液体貯蔵キャビティが更に設けられ、前記液体貯蔵キャビティは前記機能性材料キャリア層と一体的にプレス加工され、逆止弁付背圧弁により前記機能性材料キャリア層の前記密封式キャビティと連通し、前記液体貯蔵キャビティに液体が充填され、前記液体貯蔵キャビティが外力によって押し付けられるときに前記液体貯蔵キャビティにおける液体が前記逆止弁付背圧弁を通して前記密封式キャビティに導入されることにより、前記機能性材料キャリア層の温度を調節する。上記したように、該設計により、本発明の立体フェイスマスクは、発熱及び冷却機能を併せ持つようになる。
【００５４】
本発明の一実施例において、前記フェイスマスクの前記密封式キャビティ内に、溶解吸熱型の固体状冷却用化学材料が充填され、前記機能性材料キャリア層の少なくとも片側に液体貯蔵キャビティが設けられ、前記液体貯蔵キャビティは前記機能性材料キャリア層と一体的にプレス加工され、逆止弁付背圧弁により前記機能性材料キャリア層の前記密封式キャビティと連通し、前記液体貯蔵キャビティに液体が充填され、前記液体貯蔵キャビティが外力によって押し付けられるときに前記液体貯蔵キャビティにおける液体が前記逆止弁付背圧弁を通して前記密封式キャビティに導入されることにより、前記固体状冷却用化学材料が溶解して吸熱し、降温させることができる。上記したように、該設計により、本発明のフェイスマスクは冷却機能を有するようになる。
【００５５】
本発明の更なる改良形態として、前記フェイスマスクにおける固体状冷却用化学材料による溶解吸熱において、温度が−３−２０℃、冷却持続時間が１０−３０分間である。本発明の更なる改良形態として、前記フェイスマスクにおける溶解吸熱型の固体状冷却用化学材料は、尿素、塩化アンモニウム、硝酸アンモニウムから選ばれる一種又は複数種であり、好ましくは、尿素であり、前記液体は純水であり、且つ前記固体状冷却用化学材料と前記純水の重量比は１：１である。
【００５６】
本発明の更なる改良形態として、上記冷却、又は発熱に関する技術的解決手段において、前記フェイスマスクの液体貯蔵キャビティ内の液体に一定量の増粘剤を含有する。本発明の更なる改良形態として、冷却、又は発熱に関する技術的解決手段において、前記立体フェイスマスクの密封式キャビティ、及び／又は前記液体貯蔵キャビティに、色素が更に充填される。
【００５７】
本発明の更なる改良形態として、前記フェイスマスクの厚さを２−１５ｍｍとする。本発明の更なる改良形態として、本発明の多機能を有する自己温度調節型フェイスマスクの保温層の皮膚と接触する表面上に前記フェイスマスクを使用者の身体の部位に固定するためのハイドロゲル層が更に設けられる。
【００５８】
本発明の一実施例として、前記フェイスマスクは、人体の口部に対応する位置に孔が開設され、且つ鼻孔に対応する位置に孔が開設される。これらの孔は、フェイスマスクの使用中に正常に呼吸できるよう確保するために設けられ、該実施例において、目に対応する位置に孔が開設されず、これにより、口及び鼻を除く面部の大部分の領域に対して、全面的な洗浄、ケアのほか、温湿布及び冷湿布を行うことができる。且つ、フェイスマスクにおける機能性材料キャリア層及び保温層により目をケアし、温湿布及び冷湿布としての効果を得るとともに、眼球乾燥症を予防することができる。
【００５９】
本発明のもう一つの実施例として、前記フェイスマスクは人体の口部及び鼻孔に対応する位置に孔が開設されるほか、目に対応する位置にも孔が開設される。これにより、面部にフェイスマスクを貼着した後、正常に歩いたり、目を動かしたりすることができる。更に、前記フェイスマスクの両側に、フェイスマスクを人体の頭部に固定するための固定テープがあり、前記固定テープの尾端に面ファスナーがある。
【００６０】
本発明の多機能を有する自己温度調節型フェイスマスクは、温湿布、冷湿布として、又は温湿布と冷湿布との交互で使用することができ、これにより、使用者の様々なニーズを満たすことができる。その技術的効果は、上記したとおりである。
【００６１】
本発明は、多機能を有する自己温度調節型フェイスマスクの使用方法を更に提供する。実際に使用するとき、本発明の自己温度調節型フェイスマスクは、上記温湿布、又は冷湿布として使用するほか、スキンケア製品の有効成分に対する吸収を向上させるために用いることもできる。一実施例において、前記フェイスマスクをつける前に、面部に従来の栄養パックもしくはスキンケア製品を塗布しておき、又はスキンケア製品を前記保温層の皮膚と接触する表面に塗布しておき、次いでフェイスマスクを面部に直接貼着する。
【００６２】
本発明のもう一つの目的は、発熱、冷却により目への温湿布及び冷湿布として使用できるアイシートを提供することである。該アイシートは、発熱、又は冷却時間の引き延ばし、発熱、又は冷却温度の限界値の改善に効果的で、熱が均一に分布する。具体的に、技術的解決手段は以下のとおりである：
多機能を有する自己温度調節型アイシートであって、前記アイシートの目に対応する位置に、外側から内側へ、機能性材料キャリア層と皮膚に近い保温層とを少なくとも含む。具体的に、前記機能性材料キャリア層は、不透水の可撓性材料からなる密封式キャビティ構造であり、前記密封式キャビティに、発熱又は冷却用化学材料が少なくとも充填される。前記保温層は、防水保温機能を有する材料からなる。本発明の多機能を有する自己温度調節型アイシートは、上記機能性材料キャリア層及び保温層による二層構造に限定せず、実際に使用するとき、該アイシートは、包装層、接着層などを更に含むことができる。
【００６３】
本発明の更なる改良形態として、前記アイシートの保温層はＰＥＴフィルム及び金属材料からなる金属化ＰＥＴフィルムである。本発明の更なる改良形態として、本発明の前記アイシートの前記可撓性材料はプラスチック、合成ゴム、合成繊維、防水織物、防水紙のうちの一つである。
【００６４】
本発明の一実施例において、前記アイシートの保温層の密封式キャビティ内に固−液相変化発熱用化学材料及び発熱開始装置が内蔵され、前記発熱開始装置は、前記固−液相変化発熱用化学材料による相変化発熱を開始させるために用いられる。上記したように、該設計により、本発明のアイシートは発熱機能を有するようになる。本発明の更なる改良形態として、前記アイシートの固−液相変化発熱用化学材料による相変化発熱において、発熱温度が４０−５５℃、発熱時間が５−３０分間である。
【００６５】
本発明の更なる改良形態として、前記アイシートの固−液相変化発熱用化学材料は酢酸ナトリウムの過飽和水溶液であり、前記発熱開始装置は可撓性金属薄片であり、前記可撓性金属薄片は弧状を呈し、表面に複数のシワを設けることで、折り曲げやすくし、前記可撓性金属薄片は前記酢酸ナトリウムの過飽和水溶液に位置する。本発明の更なる改良形態として、前記アイシートにおける酢酸ナトリウムの過飽和水溶液に核生成剤を含有する。本発明の更なる改良形態として、前記核生成剤は、ホウ砂、硫酸ナトリウム、ケイ酸ナトリウム、ピロリン酸ナトリウム、リン酸水素二ナトリウム・１２水から選ばれる一種又は複数種である。
【００６６】
本発明の更なる改良形態として、前記アイシートにおける前記機能性材料キャリア層の少なくとも片側に液体貯蔵キャビティが更に設けられ、前記液体貯蔵キャビティは前記機能性材料キャリア層と一体的にプレス加工され、逆止弁付背圧弁により前記機能性材料キャリア層の前記密封式キャビティと連通し、前記液体貯蔵キャビティに液体が充填され、前記液体貯蔵キャビティが外力によって押し付けられるときに前記液体貯蔵キャビティにおける液体が前記逆止弁付背圧弁を通して前記密封式キャビティに導入されることにより、前記機能性材料キャリア層の温度を調節する。上記したように、該設計により、本発明のアイシートは、発熱及び冷却機能を併せ持つようになる。
【００６７】
本発明の一実施例において、前記アイシートの前記密封式キャビティ内に、溶解吸熱型の固体状冷却用化学材料が充填され、前記機能性材料キャリア層の少なくとも片側に液体貯蔵キャビティが設けられ、前記液体貯蔵キャビティは前記機能性材料キャリア層と一体的にプレス加工され、逆止弁付背圧弁により前記機能性材料キャリア層の前記密封式キャビティと連通し、前記液体貯蔵キャビティに液体が充填され、前記液体貯蔵キャビティが外力によって押し付けられるときに前記液体貯蔵キャビティにおける液体が前記逆止弁付背圧弁を通して前記密封式キャビティに導入されることにより、前記固体状冷却用化学材料が溶解して吸熱し、降温させることができる。上記したように、該設計により、本発明のアイシートは冷却機能を有するようになる。
【００６８】
本発明の更なる改良形態として、前記アイシートにおける固体状冷却用化学材料による溶解吸熱において、温度が−３−２０℃、冷却持続時間が１０−３０分間である。
【００６９】
本発明の更なる改良形態として、前記アイシートにおける溶解吸熱型の固体状冷却用化学材料は、尿素、塩化アンモニウム、硝酸アンモニウムのうちから選ばれる一種又は複数種であり、好ましくは、尿素であり、前記液体は純水であり、且つ前記固体状冷却用化学材料と前記純水の重量比は１：１である。
【００７０】
本発明の更なる改良形態として、上記冷却、又は発熱に関する技術的解決手段において、前記アイシートの液体貯蔵キャビティ内の液体に一定量の増粘剤を含有する。本発明の更なる改良形態として、冷却、又は発熱に関する技術的解決手段において、前記アイシートの密封式キャビティ、及び／又は前記液体貯蔵キャビティに、色素が更に充填される。
【００７１】
本発明の更なる改良形態として、前記アイシートの厚さを２−１５ｍｍとする。本発明の更なる改良形態として、本発明の多機能を有する自己温度調節型アイシートの保温層の皮膚と接触する表面上に前記アイシートを使用者の目での皮膚に固定するためのハイドロゲル層が更に設けられる。
【００７２】
本発明の一実施例として、前記アイシートは耳掛け部を更に有し、前記耳掛け部に耳に掛けるための孔が開設される。耳掛け部の設置により、使用時にアイシートを目の位置によく貼着することができ、移動したり脱落することが回避される。且つ、上記液体貯蔵キャビティは、耳掛け部に内蔵されるようにしてもよい。
【００７３】
上記技術的解決手段の改良形態として、前記アイシートの中心線の下半部にスリットが開設される。アイシートの下半部にわたり縦設されたスリットにより、アイシートを目の位置に貼着した後に、鼻筋において、アイシートの左半部及び右半部が自然に外向きに開き、これによりアイシートは人体の生理的形状に合わせるようになり、また、アイシートの貼着後、左半部及び右半部は中央の鼻筋を境に、自然にスリットの両側へ開き、面部及び目の位置によりよく貼着する。
【００７４】
本発明の多機能を有する自己温度調節型アイシートは、温湿布、冷湿布として、又は温湿布と冷湿布との交互で使用することができ、これにより、使用者の様々なニーズを満たすことができ、その技術的効果は、上記したとおりである。温湿布と冷湿布によるケアで、目の疲れを効果的に解消して、眼球乾燥症を予防することができる。
【００７５】
本発明は、多機能を有する自己温度調節型アイシートの使用方法を更に提供する。実際に使用するとき、本発明の自己温度調節型アイシートは、上記温湿布、又は冷湿布として使用するほか、スキンケア製品の有効成分に対する吸収を向上させるために用いることもできる。一実施例において、前記アイシートをつける前に、目の位置に従来の栄養パックもしくはスキンケア製品を塗布しておき、又はスキンケア製品を前記保温層の皮膚と接触する表面に塗布しておき、次いでアイシートを目の位置に直接貼着する。
【図面の簡単な説明】
【００７６】
図１は、本発明の多機能を有する自己温度調節型フィルムの実施例１の概略図である。
【００７７】
図２は、図１に示す多機能を有する自己温度調節型フィルムの使用時の状態の概略図である。
【００７８】
図３は、本発明の多機能を有する自己温度調節型フィルムの実施例２の概略図である。
【００７９】
図４は、本発明の多機能を有する自己温度調節型フィルムの実施例３の概略図である。
【００８０】
図５は、本発明の多機能を有する自己温度調節型フィルムの実施例４の概略図である。
【００８１】
図６は、本発明の多機能を有する自己温度調節型フィルムの実施例５の概略図である。
【００８２】
図７は、本発明の多機能を有する自己温度調節型フィルムにより製造されたフェイスマスクの実施例６の概略図である。
【００８３】
図８は、本発明の多機能を有する自己温度調節型立体フェイスマスクの実施例７の概略構造図である。
【００８４】
図９は、図８に示す立体フェイスマスクの実施例の左シートと右シートを接着した後の構造の概略図である。
【００８５】
図１０は、図８に示す実施例において、立体フェイスマスクのシートを面部の輪郭に沿って貼着することを示している。
【００８６】
図１１は、図８に示す実施例の立体フェイスマスクのシートの概略断面構造図である。
【００８７】
図１２は、本発明の多機能を有する自己温度調節型立体フェイスマスクの実施例８の概略構造図である。
【００８８】
図１３は、図１２に示す立体フェイスマスクの左シートと右シートを接着した後の構造の概略図である。
【００８９】
図１４は、図１２に示す実施例において、立体フェイスマスクのシートを面部の輪郭に沿って貼着することを示している。
【００９０】
図１５は、本発明の多機能を有する自己温度調節型フェイスマスクの実施例１０の概略構造図である。
【００９１】
図１６は、図１５に示す立体フェイスマスクの左シートと右シートを接着した後の構造の概略図である。
【００９２】
図１７は、本発明の多機能を有する自己温度調節型立体フェイスマスクの実施例１１の概略構造図である。
【００９３】
図１８は、図１７に示す立体フェイスマスクの左シートと右シートを接着した後の構造の概略図である。
【００９４】
図１９は、本発明の多機能を有する自己温度調節型フェイスマスクの実施例１２の概略構造図である。
【００９５】
図２０は、図１９に示す実施例の立体フェイスマスクのシートの概略断面構造図である。
【００９６】
図２１は、本発明の多機能を有する自己温度調節型フェイスマスクの実施例１３の概略構造図である。
【００９７】
図２２は、本発明の多機能を有する自己温度調節型フェイスマスクの実施例１５の概略構造図である。
【００９８】
図２３は、本発明の多機能を有する自己温度調節型フェイスマスクの実施例１６の概略構造図である。
【００９９】
図２４は、本発明の多機能を有する自己温度調節型フェイスマスクの実施例１７の概略構造図である。
【０１００】
図２５は、図２４に示す実施例のフェイスマスクのシートの概略断面構造図である。
【０１０１】
図２６は、本発明の多機能を有する自己温度調節型アイシートの実施例１８の概略構造図である。
【０１０２】
図２７は、本発明の多機能を有する自己温度調節型アイシートの実施例２０の概略構造図である。
【０１０３】
図２８は、本発明の多機能を有する自己温度調節型アイシートの実施例２１の概略構造図である。
【発明を実施するための形態】
【０１０４】
以下、実施例を挙げて本発明についてより詳細に説明し、ただし、下記内容は本発明に対する説明のみであり、本発明の保護範囲に限定を一切加えず、本発明の明細書及び添付図面の内容に基づいてなされた構造上の等価置換は、すべて本発明の範囲内に含まれるものとする。
実施例１
【０１０５】
図１に示すように、多機能を有する自己温度調節型フィルムは２層の構造を含み、外層は機能性材料キャリア層１、内層は保温層２であり、冷却又は発熱用化学材料１１は、機能性材料キャリア層１内に充填される。図２は、図１に示すフィルムの実施例の使用時の状態の概略図であり、保温層２は皮膚４と直接接触する。
【０１０６】
該実施例において、該フィルムの機能性材料キャリア層１と保温層２は一体的に接着され、例えば、接着剤、又は熱接着により、一体的に皮膚に直接つけられる。実際の生産及び使用において、保温層２が機能性材料キャリア層１に接着していないことも可能であり、すなわち、使用時に、まず皮膚に保温層を単独でつけておき、次いで機能性材料キャリア層をつけることで、同等の効果を得ることができる。
【０１０７】
該実施例において、機能性材料キャリア層１は透明なＰＶＣ材料により製造される。実際に使用するとき、機能性材料キャリア層１が不透水の材料からなることを保証するだけでよく、従来技術における不透水織物、不透水紙、不透水の合成繊維などはいずれも使用できる。機能性材料キャリア層１の体積は充填される冷却又は発熱用化学材料のタイプ、使用量、所定の発熱／冷却温度など、その形状は、使用される部位により決めることができる。保温層２は、ＰＥＴフィルムと銀色金属のアルミニウムからなるアルミニウム化ＰＥＴフィルムとし、アルミニウムの融点が低く、真空条件下で、加熱の方式により固体状アルミニウムを容易に気体状態に変換することができ、ＰＥＴフィルムの耐熱性が他の高分子フィルムより優れ、且つアルミニウムとの結合性能に優れる。ＰＥＴフィルムのアルミニウム被覆層は金属光沢を帯びており、反射率が高く、厚さ４００Åのアルミニウム被覆層の反射率が９０％に達しており、保温効果に優れ、且つ水分や気体透過抑止性能が極めて高い。
実施例２
【０１０８】
図３は、本発明の多機能を有する自己温度調節型フィルムの実施例２の概略図である。図１の実施例と比べ、該実施例において、保温層２の皮膚に近い表面上に、フィルムを使用者の身体の部位に固定するためのハイドロゲル層３が更に設けられる。実際に使用するとき、上記したように、ハイドロゲル層３に、外用薬の活性成分、外用サプリメントの活性成分、又はスキンケア製品の活性成分などが含まれる。
実施例３
【０１０９】
図４は、本発明の多機能を有する自己温度調節型フィルムの実施例３の概略図である。該実施例において、機能性材料キャリア層１に充填される発熱用化学材料１１は、濃度８０−９０％の酢酸ナトリウム溶液であり、機能性材料キャリア層１に更に、ステンレス鋼による円形薄片１２が内蔵される。具体的に、ステンレス鋼による円形薄片１２は、窪んだように設計される。ステンレス鋼による円形薄片１２が見えるように、機能性材料キャリア層１を透明なＯＰＰフィルムにより製造する。温湿布をしたいとき、手でステンレス鋼による円形薄片１２を押え付けると、酢酸ナトリウムの過飽和溶液の結晶化による放熱を開始させることができる。該実施例において、結晶化が生じた該フィルムを、約８０℃の温水に２−３分間浸しておき、結晶体が溶解すると、再使用することができる。該フィルムの繰り返し使用回数を増やすために、酢酸ナトリウムの過飽和溶液に核生成剤として、１０ｗｔ％の硫酸ナトリウムを含有する。他の実施例においては、ケイ酸ナトリウム、ピロリン酸ナトリウム、リン酸水素二ナトリウム・１２水、又はそれらの混合物を１０ｗｔ％添加することもでき、該フィルムの繰り返し使用回数は百回以上に達することができる。また、フィルムがきれいに見えるように、酢酸ナトリウムの過飽和溶液に赤色素をわずかに含有することができる。
実施例４
【０１１０】
図５は、本発明の多機能を有する自己温度調節型フィルムの実施例４の概略図である。実施例３と比べ、該実施例において、機能性材料キャリア層１の両側に液体貯蔵キャビティ１５が設けられ、液体貯蔵キャビティ１５内に純水１４が充填され、且つ液体貯蔵キャビティ１５と機能性材料キャリア層１は一体的にプレス加工され、両者は、従来のエアバッグによって包装された逆止弁付背圧弁１３により互いに連通する。機能性材料キャリア層１の温度を調節し、又は温湿布後に冷湿布をしたいとき、手で液体貯蔵キャビティ１５を押え付けると、液体貯蔵キャビティ１５内の純水１４が機能性材料キャリア層１に入り、酢酸ナトリウム結晶体と混合し、吸熱反応を行い、これにより降温効果を果たすことができる。実際に使用するとき、純水１４の添加により、酢酸ナトリウムの過飽和溶液を希釈して濃度を下げ、これにより、機能性材料キャリア層１における酢酸ナトリウムの過飽和状態のバランスが破壊され、そのため、該フィルムを再使用するとき、その発熱温度が前回使用時の発熱温度よりわずかに低くなる。
実施例５
【０１１１】
図６は、本発明の多機能を有する自己温度調節型フィルムの実施例５の概略図である。該実施例において、機能性材料キャリア層１に充填される発熱用化学材料１１は、尿素（１２０ｇ）であり、液体貯蔵キャビティ内に純水１４（１２０ｇ）が充填され、且つ液体貯蔵キャビティ１５と機能性材料キャリア層１は一体的にプレス加工され、両者は、従来のエアバッグによって包装された逆止弁付背圧弁１３により互いに連通する。冷湿布をしたいとき、手で液体貯蔵キャビティ１５を押え付けると、液体貯蔵キャビティ１５内の純水１４が機能性材料キャリア層１に入り、尿素と混合し、尿素が溶解し、吸熱反応を行い、これにより降温効果を果たすことができる。
実施例６
【０１１２】
図７は、本発明の多機能を有する自己温度調節型フィルムにより製造されたフェイスマスクの実施例の概略図である。該実施例において、機能性材料キャリア層１に充填される発熱用化学材料１１は、濃度８０−９０％の酢酸ナトリウム溶液であり、且つ液体貯蔵キャビティ１５は細長い帯状に設計され、それにおいて面ファスナー１６が更に設けられ、これにより、二つの液体貯蔵キャビティ１５を連通させて、全フェイスマスクを頭部に固定することができる。他の実施例においては、面ファスナー１６の代わりに、液体貯蔵キャビティ１５から延出した結い紐、又はボタンなどの形式とすることができる。使用時に、純水がフェイスマスクの底部に集中して、温度が不均一になることを防止するために、純水に増粘剤としてペクチンをわずかに添加する。実際に使用するとき、まず、ステンレス鋼による円形薄片１２を押え付けてフェイスマスクを発熱させ、面部にスキンケア製品を塗布した後、フェイスマスクを面部につけ、フェイスマスクが室温まで冷却した後、手で液体貯蔵キャビティ１５を押え付けると、液体貯蔵キャビティ１５内の純水が機能性材料キャリア層１に入り、酢酸ナトリウム結晶体と混合し、酢酸ナトリウムが吸熱して降温させ、冷却後のフェイスマスクを面部につけ、これにより温湿布後に冷湿布を行うことが実現し、スキンケア製品に対する吸収効果を向上させ、毛穴をより緻密にする。
比較用実施例１
【０１１３】
比較用実施例１は実施例６のフェイスマスクの設計と同じであり、相違点は、実施例６における保温層２を有しないだけであり、その使用方法も実施例６と同じである。
【０１１４】
実施例６及び比較用実施例１の使用中に、実施例６のフェイスマスクの発熱時間は３５分間持続するのに対し、比較用実施例１のフェイスマスクの発熱時間（３７℃以上での持続時間）は、２０分間のみ継続する。また、使用者によると、比較用実施例のフェイスマスクと比べ、実施例６のフェイスマスクの発熱／冷却温度がより均一であり、フェイスマスクを貼着したばかりに、非常に熱く又は冷たく感じられ、その後、温度が急激に上がったり下がったりすることはないという。比較用実施例１と比べ、実施例６においてスキンケア製品がより完全に吸収され、使用者の皮膚含水量の測定値もより高かった。
実施例７
【０１１５】
本実施例は、立体フェイスマスクに関する。それは、二枚のシートが互いにつながって面部の輪郭に合わせる形状をなし、従来の一枚のシート状の平面フェイスマスクと比べ、面部によりよく貼着でき、これにより、面部を均一に洗浄し、ケアすることができる。
【０１１６】
図８に示すように、本実施例において、立体フェイスマスク１０は、それぞれ面部の左側と右側に対応する左シート２１と右シート２２の二枚のシートからなり、前記左シート２１及び右シート２２の先端部１１１、１２１にそれぞれ接着材料が設けられ、且つ面部の中心線で互いに接着して面部の立体的輪郭に合わせる形状になる。図９は、二枚のシートを接着させて形成した立体フェイスマスクの全体的形状を示している。
【０１１７】
該実施例において、左シート２１及び右シート２２は、面部の中心線に関して対称であり、無論、本発明は、左シート２１と右シート２２が対称である形態に限定せず、他の実施例のような左シート２１と右シート２２が対称でない形態は認められ、人間工学の観点からみると、両側のシートが互いに対称である形態は、面部への貼着に有利となる。左シートと右シートが互いに接着して面部の立体的輪郭に合わせる形状になることにより、面部によりよく貼着でき、従来の一枚のシート状の平面フェイスマスクを面部に貼着するとき、シワが生じやすくて面部への均一な貼着が困難であり、面部への洗浄効果及び美容効果を損なうという欠点を解消することができる。且つ、面部へのより均一で緊密な貼着により、下記のように、面部への温湿布、又は冷湿布を均一にする効果を得ることができる。
【０１１８】
図８に示すように、前記左シート２１及び右シート２２の先端部１１１、１２１の、人体の外鼻に対応する位置に、上から下へと外向きに突出した突出部１１２、１２２が設けられ、突出部１１２、１２２の下方に人体の口部に対応する開口部１１３、１２３が設けられ、左右シートを接着させた後、開口部１１３と開口部１２３が一体的に結合し、口部にほぼ合わせる形状をなし、この場合、左シート２１及び右シート２２の先端部の開口部１１３、１２３に接着材料を設ける必要がない。開口部１１３及び開口部１２３の下部は一定のラジアンで円弧状になるように下向きに底端まで延伸し、底部の円弧段１１４、１２４を形成する。左シート２１の先端部１１１及び右シート２２の先端部１２１は、いずれも外鼻に対応する位置に、上から下へと突起した突起部があるため、左シート２１及び右シート２２が接着されると、外鼻部において自然に上から下へと突起して、外鼻によく貼着する。人体の口部に対応する開口部１１３、１２３の下方に、先端部１１１、１２１が一定のラジアンで円弧をなして下向きに延伸し底端に至り、これにより、左シート２１と右シート２２が接着されると、その下部に人体の顎部と自然に合わせて貼着する曲面が形成され、これにより面部によく貼着している。
【０１１９】
図１０は本実施例を面部に貼着した後の立体的形状をより直感的に示している。突出部１１２、１２２が接着されると、鼻とぴったり貼着した突起が形成される。開口部１１３、１２３によって画定された略楕円領域は口部に対応する。円弧段１１４、１２４を接着させた後も立体的曲面を形成し、これにより人体の顎部によりよく貼着する。上記したように、本発明の実施例は、従来の平面フェイスマスクと比べ、面部の立体的輪郭によりよく合わせるため、面部によく貼着でき、且つ面部への均一な洗浄、ケア、及び均一な温湿布と冷湿布を行うことができる。
【０１２０】
更に、前記左シート２１及び右シート２２の先端部１１１、１２１において、前記突起部１１２、１２２の上方に位置し、目及び眉間に対応する位置に更に、内向きに窪んだ凹部１１４、１２４があり、この凹部は略半楕円状、又は略半円状とすることができるが、左シートと右シートを接着させた後、目が適宜露出しており、フェイスマスクに被覆されていない部分を多く出さないものであればよい。この場合、前記左シート２１及び右シート２２のそれぞれの先端部１１１、１２１において、人体の口部に対応する開口部１１３、１２３に接着材料を設けず、また、目に対応する凹部１１５、１２５に接着材料を設けない。すなわち、先端部において、人体の口部に対応する開口部１１３、１２３、目及び眉間に対応する凹部１１５、１２５を除く領域に接着材料が設けられ、且つ互いに接着される。
【０１２１】
更に、図８に示すように、前記左シート１１及び右シート１２の後端に、フェイスマスクを人体の頭部に固定するための固定テープ１１８、１２８があり、更に、前記固定テープ１１８、１２８の尾端に面ファスナー１１９、１２９がある。これにより本発明の立体フェイスマスクを面部に貼着した後、固定テープで頭部を一周して固定し、更に面ファスナーで定着することができる。面ファスナー（ＨＯＯＫ＆ＬＯＯＰ）は、衣類によく使用される補助材であり、繊細で柔らかい繊維による、ループ状に密集して起毛された側（ＬＯＯＰ）と、フック状に起毛された硬質側（ＨＯＯＫ）により構成される。
【０１２２】
本実施例において、図１１に示すように、前記立体フェイスマスク１０の左シート２１及び右シート２２は、２層の構造を含み、外層は機能性材料キャリア層１３１、内層は保温層１３２であり、冷却又は発熱用化学材料１３１１は、機能性材料キャリア層１３１内に充填される。図１１に示すように、保温層１３２は皮膚４と直接接触する。
【０１２３】
該実施例において、該フィルムの機能性材料キャリア層１３１と保温層１３２は一体的に接着され、例えば、接着剤、又は熱接着により、一体的に皮膚に直接つけられる。実際の生産及び使用において、保温層１３２が機能性材料キャリア層１３１に接着していないことも可能であり、すなわち、使用時に、まず皮膚に保温層を単独でつけておき、次いで機能性材料キャリア層をつけることで、同等の効果を得ることができる。
【０１２４】
機能性材料キャリア層１３１は透明なＰＶＣ材料により製造される。該実施例において、機能性材料キャリア層１３１に充填される発熱用化学材料１３１１は、濃度８０−９０％の酢酸ナトリウム溶液であり、機能性材料キャリア層１３１に更に、発熱開始装置１３１２として、ステンレス鋼による円形薄片が内蔵される。具体的に、ステンレス鋼による円形薄片１３１２は、窪んだように設計される。ステンレス鋼による円形薄片１３１２が見えるように、機能性材料キャリア層１を透明なＯＰＰフィルムにより製造する。温湿布をしたいとき、手でステンレス鋼による円形薄片１３１２を押え付けると、酢酸ナトリウムの過飽和溶液の結晶化による放熱を開始させることができる。
【０１２５】
該実施例において、保温層１３２は、ＰＥＴフィルムと銀色金属のアルミニウムからなるアルミニウム化ＰＥＴフィルムとする。
実施例８
【０１２６】
図１２、図１３、図１４は立体フェイスマスクの実施例８の概略図であり、実施例７との相違点は、本実施例の立体フェイスマスクは、口部に対応する開口部を除き、残りの部位が全部密封されることである。つまり、実施例７と異なり、左シート２１及び右シート２２の先端部２１１、２２１の、目及び眉間に対応する位置に凹部がない。本実施例において、前記左シート２１及び右シート２２の先端部２１１、２２１に、前記突起部２１２、２２２の上方に位置し、眉間に対応する位置に内向きに少し窪んだ凹弧２１５、２２５があり、凹弧２１５、２２５に接着材料が設けられる。前記突起部の上方の、眉間に対応する位置に更に、内向きに少し窪んだ凹弧２１５、２２５があるため、左シート２１と右シート２２が接着されると、該凹弧２１５、２２５、すなわち眉間及び外鼻の鼻根に対応する位置において、内向きに少し窪んだ凹みが形成され、これにより、眉間及び鼻根の窪んだ位置によりよく貼着できる。これについては、図１４に示す本立体フェイスマスクの実施例が面部に貼着された状態の概略図により、明瞭に示している。図中、２３１で示した箇所は、本発明の実施例における立体フェイスマスクの機能性材料キャリア層、２３１２で示した箇所は、発熱開始装置である。
【０１２７】
本実施例の立体フェイスマスクを使用する場合、口部にのみ開口部があり（鼻孔の下部を含む）、残りの部位が全部密封され、面部のほぼ全域に対して洗浄及びケアを行うことができる
実施例９
【０１２８】
図８に示す実施例と比べ、該実施例において、保温層１３２の皮膚に近い表面上に、フィルムを使用者の身体の部位に固定するためのハイドロゲル層が更に設けられる。
実施例１０
【０１２９】
図１５、図１６に示すように、実施例８と比べ、該実施例は、機能性材料キャリア層４３１の両側に液体貯蔵キャビティ４３５が設けられ、該実施例において、液体貯蔵キャビティ４３５は、左シート固定テープ４１８及び右シート固定テープ４２８に設けられ、液体貯蔵キャビティ４３５内に純水が充填され、且つ液体貯蔵キャビティ４３５と機能性材料キャリア層４３１は一体的にプレス加工され、両者は、従来のエアバッグによって包装された逆止弁付背圧弁４３６により互いに連通する。機能性材料キャリア層４３１の温度を調節し、又は温湿布後に冷湿布をしたいとき、手で液体貯蔵キャビティ４３５を押え付けると、液体貯蔵キャビティ４３５内の純水が機能性材料キャリア層４３１に入り、酢酸ナトリウム結晶体と混合し、吸熱反応を行い、これにより降温効果を果たすことができる。実際に使用するとき、純水の添加により、酢酸ナトリウムの過飽和溶液を希釈して濃度を下げ、これにより、機能性材料キャリア層４３１における酢酸ナトリウムの過飽和状態のバランスが破壊され、そのため、該フィルムを再使用するとき、その発熱温度が前回使用時の発熱温度よりわずかに低くなる。使用時に、純水がフェイスマスクの底部に集中して、温度が不均一になることを防止するために、純水に増粘剤としてペクチンをわずかに添加する。
【０１３０】
実際に使用するとき、まず、ステンレス鋼による円形薄片４３１２を押え付けてフェイスマスクを発熱させ、面部にスキンケア製品を塗布した後、フェイスマスクを面部につけ、フェイスマスクが室温まで冷却した後、手で液体貯蔵キャビティ４３５を押え付けると、液体貯蔵キャビティ４３５内の純水が機能性材料キャリア層４３１に入り、酢酸ナトリウム結晶体と混合し、酢酸ナトリウムが吸熱して降温させ、冷却後のフェイスマスクを面部につけ、これにより温湿布後に冷湿布を行うことが実現する。
実施例１１
【０１３１】
図１７、図１８は、本発明の多機能を有する自己温度調節型立体フェイスマスクの実施例１１の概略図である。該実施例において、機能性材料キャリア層５３１に充填される発熱用化学材料１１は、尿素（１２０ｇ）であり、液体貯蔵キャビティ５３５内に純水（１２０ｇ）が充填され、且つ液体貯蔵キャビティ５３５と機能性材料キャリア層５３１は一体的にプレス加工され、両者は、従来のエアバッグによって包装された逆止弁付背圧弁５３６により互いに連通する。実施例１０と同様に、液体貯蔵キャビティ５３５は、左シート固定テープ５１８及び右シート固定テープ５２８に設けられる。冷湿布をしたいとき、手で液体貯蔵キャビティ５３５を押え付けると、液体貯蔵キャビティ５３５内の純水が機能性材料キャリア層５３１に入り、尿素と混合し、尿素が溶解し、吸熱反応を行い、これにより降温効果を果たすことができる。本実施例は、主として面部への冷湿布として用いられため、立体フェイスマスクのシートには、発熱開始装置が設けられない。
比較用実施例２
【０１３２】
比較用実施例２は実施例１０のフェイスマスクの設計と同じであり、相違点は、実施例１０における保温層を有しないだけであり、その使用方法も実施例１０と同じである。
【０１３３】
実施例１０及び比較用実施例２の使用中に、実施例１０のフェイスマスクの発熱時間は３５分間持続するのに対し、比較用実施例２のフェイスマスクの発熱時間（３７℃以上での持続時間）は、２０分間のみ継続する。実施例１０のフェイスマスクの冷却時間（３７℃以下での持続時間）は３０分間持続するのに対し、比較用実施例２のフェイスマスクの冷却時間は、２０分間のみ継続する。また、使用者によると、比較用実施例２のフェイスマスクと比べ、実施例１０のフェイスマスクの発熱／冷却温度がより均一であり、フェイスマスクを貼着したばかりに、非常に熱く又は冷たく感じられ、その後、温度が急激に上がったり下がったりすることはないという。比較用実施例２と比べ、実施例１０においてスキンケア製品がより完全に吸収され、使用者の皮膚含水量の測定値もより高かった。
実施例１２
【０１３４】
実施例１２において、図１９に示すように、フェイスマスク２０の目に対応する位置に孔２０１、人体の口部に対応する位置に孔２０２、鼻孔に対応する位置に孔２０３がある。フェイスマスク２０の両側に、フェイスマスクを人体の頭部に固定するための固定テープ１０４があり、固定テープ１０４の尾端に面ファスナー１０５がある。
【０１３５】
本発明のフェイスマスク２０を面部に貼着した後、固定テープ１０４で頭部を一周して固定し、更に面ファスナー１０５で定着することができる。
【０１３６】
本実施例において、図１９に示すように、前記フェイスマスク２０は、２層の構造を含み、外層は機能性材料キャリア層１３１、内層は保温層１３２であり、冷却又は発熱用化学材料１３１１は、機能性材料キャリア層１３１内に充填される。図２０に示すように、保温層１３２は皮膚４と直接接触する。
【０１３７】
該実施例において、該フィルムの機能性材料キャリア層１３１と保温層１３２は一体的に接着され、例えば、接着剤、又は熱接着により、一体的に皮膚に直接つけられる。実際の生産及び使用において、保温層１３２が機能性材料キャリア層１３１に接着していないことも可能であり、すなわち、使用時に、まず皮膚に保温層を単独でつけておき、次いで機能性材料キャリア層をつけることで、同等の効果を得ることができる。
【０１３８】
機能性材料キャリア層１３１は透明なＰＶＣ材料により製造される。該実施例において、機能性材料キャリア層１３１に充填される発熱用化学材料１３１１は、濃度８０−９０％の酢酸ナトリウム溶液であり、機能性材料キャリア層１３１に更に、発熱開始装置１３１２として、ステンレス鋼による円形薄片が内蔵される。具体的に、ステンレス鋼による円形薄片１３１２は、窪んだように設計される。ステンレス鋼による円形薄片１３１２が見えるように、機能性材料キャリア層１を透明なＯＰＰフィルムにより製造する。温湿布をしたいとき、手でステンレス鋼による円形薄片１３１２を押え付けると、酢酸ナトリウムの過飽和溶液の結晶化による放熱を開始させることができる。
【０１３９】
該実施例において、保温層１３２は、ＰＥＴフィルムと銀色金属のアルミニウムからなるアルミニウム化ＰＥＴフィルムとする。
実施例１３
【０１４０】
図２１は、本発明の多機能を有する自己温度調節型フェイスマスクの実施例１３であり、実施例１２との相違点は、フェイスマスク２０の目に対応する位置に孔が開設されないだけであり、つまり、目の位置が密封される密封型フェイスマスクである。該実施例において、目に対応する位置に孔が開設されないため、口及び鼻を除く面部の大部分の領域に対して、全面的な洗浄、ケアを行うことができる。
実施例１４
【０１４１】
図１９に示す実施例と比べ、該実施例において、保温層１３２の皮膚に近い表面上に、フィルムを使用者の身体の部位に固定するためのハイドロゲル層が更に設けられる。
実施例１５
【０１４２】
図２２に示すように、実施例１２と比べ、該実施例は、機能性材料キャリア層４３１の両側に液体貯蔵キャビティ４３５が設けられ、該実施例において、液体貯蔵キャビティ４３５は、フェイスマスクの左右両側にある固定テープ４１４に設けられ、液体貯蔵キャビティ４３５内に純水が充填され、且つ液体貯蔵キャビティ４３５と機能性材料キャリア層４３１は一体的にプレス加工され、両者は、従来のエアバッグによって包装された逆止弁付背圧弁４３６により互いに連通する。機能性材料キャリア層４３１の温度を調節し、又は温湿布後に冷湿布をしたいとき、手で液体貯蔵キャビティ４３５を押え付けると、液体貯蔵キャビティ４３５内の純水が機能性材料キャリア層４３１に入り、酢酸ナトリウム結晶体と混合し、吸熱反応を行い、これにより降温効果を果たすことができる。実際に使用するとき、純水の添加により、酢酸ナトリウムの過飽和溶液を希釈して濃度を下げ、これにより、機能性材料キャリア層４３１における酢酸ナトリウムの過飽和状態のバランスが破壊され、そのため、該フィルムを再使用するとき、その発熱温度が前回使用時の発熱温度よりわずかに低くなる。使用時に、純水がフェイスマスクの底部に集中して、温度が不均一になることを防止するために、純水に増粘剤としてペクチンをわずかに添加する。
【０１４３】
実際に使用するとき、まず、ステンレス鋼による円形薄片４３１２を押え付けてフェイスマスクを発熱させ、面部にスキンケア製品を塗布した後、フェイスマスクを面部につけ、フェイスマスクが室温まで冷却した後、手で液体貯蔵キャビティ４３５を押え付けると、液体貯蔵キャビティ４３５内の純水が機能性材料キャリア層４３１に入り、酢酸ナトリウム結晶体と混合し、酢酸ナトリウムが吸熱して降温させ、冷却後のフェイスマスクを面部につけ、これにより温湿布後に冷湿布を行うことが実現する。
実施例１６
【０１４４】
図２３は、本発明の多機能を有する自己温度調節型フェイスマスクの実施例１６の概略図である。該実施例において、機能性材料キャリア層５３１に充填される発熱用化学材料は、尿素（１２０ｇ）であり、液体貯蔵キャビティ５３５内に純水（１２０ｇ）が充填され、且つ液体貯蔵キャビティ５３５と機能性材料キャリア層５３１は一体的にプレス加工され、両者は、従来のエアバッグによって包装された逆止弁付背圧弁５３６により互いに連通する。実施例１５と同様に、液体貯蔵キャビティ５３５は、フェイスマスクの左右両側にある固定テープ５１４に設けられる。冷湿布をしたいとき、手で液体貯蔵キャビティ５３５を押え付けると、液体貯蔵キャビティ５３５内の純水が機能性材料キャリア層５３１に入り、尿素と混合し、尿素が溶解し、吸熱反応を行い、これにより降温効果を果たすことができる。本実施例は、主として面部への冷湿布として用いられため、立体フェイスマスクのシートには、発熱開始装置が設けられない。
比較用実施例３
【０１４５】
比較用実施例３は実施例１５のフェイスマスクの設計と同じであり、相違点は、実施例１５における保温層を有しないだけであり、その使用方法も実施例１５と同じである。
【０１４６】
実施例１５及び比較用実施例３の使用中に、実施例１５のフェイスマスクの発熱時間は３５分間持続するのに対し、比較用実施例３のフェイスマスクの発熱時間（３７℃以上での持続時間）は、２０分間のみ継続する。実施例１５のフェイスマスクの冷却時間（３７℃以下での持続時間）は３０分間持続するのに対し、比較用実施例３のフェイスマスクの冷却時間は、２０分間のみ継続する。また、使用者によると、比較用実施例のフェイスマスクと比べ、実施例１５のフェイスマスクの発熱／冷却温度がより均一であり、フェイスマスクを貼着したばかりに、非常に熱く又は冷たく感じられ、その後、温度が急激に上がったり下がったりすることはないという。比較用実施例３と比べ、実施例１５においてスキンケア製品がより完全に吸収され、使用者の皮膚含水量の測定値もより高かった。
実施例１７
【０１４７】
本実施例において、図２４、図２５に示すように、前記アイシート３０の目に対応する位置に、２層の構造を含み、外層は機能性材料キャリア層１３１、内層は保温層１３２であり、冷却又は発熱用化学材料１３１１は、機能性材料キャリア層１３１内に充填される。図２５に示すように、保温層１３２は皮膚４と直接接触する。
【０１４８】
該実施例において、該フィルムの機能性材料キャリア層１３１と保温層１３２は一体的に接着され、例えば、接着剤、又は熱接着により、一体的に皮膚に直接つけられる。実際の生産及び使用において、保温層１３２が機能性材料キャリア層１３１に接着していないことも可能である。
【０１４９】
機能性材料キャリア層１３１は透明なＰＶＣ材料により製造される。該実施例において、機能性材料キャリア層１３１に充填される発熱用化学材料１３１１は、濃度８０−９０％の酢酸ナトリウム溶液であり、機能性材料キャリア層１３１に更に、発熱開始装置１３１２として、ステンレス鋼による円形薄片が内蔵される。具体的に、ステンレス鋼による円形薄片１３１２は、窪んだように設計される。ステンレス鋼による円形薄片１３１２が見えるように、機能性材料キャリア層１を透明なＯＰＰフィルムにより製造する。温湿布をしたいとき、手でステンレス鋼による円形薄片１３１２を押え付けると、酢酸ナトリウムの過飽和溶液の結晶化による放熱を開始させることができる。該実施例において、結晶化が生じた該フィルムを、約８０℃の温水に２−３分間浸しておき、結晶体が溶解すると、再使用することができる。該フィルムの繰り返し使用回数を増やすために、酢酸ナトリウムの過飽和溶液に核生成剤として、１０ｗｔ％の硫酸ナトリウムが添加される。
【０１５０】
該実施例において、保温層１３２は、ＰＥＴフィルムと銀色金属のアルミニウムからなるアルミニウム化ＰＥＴフィルムとする。
【０１５１】
本発明の実施例において、機能性材料キャリア層の発熱により、目の周りの筋肉を緩め、血管を拡大させ、血行を促進させて、消炎、腫れの解消、目の乾きや痛み緩和の効果を果たすことができる。また、本発明において、外層、発熱層に加え、発熱層と目の位置の皮膚との間に、防水保温機能を有する材料からなる保温層を増設し、使用時に、保温層の設置により、発熱層からの放熱が皮膚に均一且つ安定的に伝達され、且つ皮膚に伝達された熱が直ちに散逸することが回避され、これにより、初期温度が高すぎることで低温やけどを引き起こす恐れを解消し、且つ皮膚の温度を適切な範囲に効果的且つ安定的に維持する。また、該保温層の設置により、外用のスキンケア製品、外用薬又はサプリメント中の水分や油、又は皮膚の排出した汗が気体透過層に浸入することを防止し、これにより最高発熱温度を制御しにくいという問題を解消するとともに、外用製品使用時の相互汚染、皮膚感染などの問題が回避される。本発明のアイシートの実施例を使用する場合、発熱層と保温層によってなされた持続的な温熱状態により、皮膚に快適感をもたらし、血行を改善し、皮膚の毛穴を拡大させ、汗及び油脂などの汚れを排出させる。従来のスキンケア製品とともに使用すると、目の部位による従来のスキンケア製品の有効成分に対する吸収を向上させ、これによりスキンケア製品の使用量を減らしながらスキンケア効果を高めることができ、便利であり、資源を節約し、環境に優しい。
【０１５２】
該実施例において、前記アイシートの中心線の下半部にスリット３１５が開設される。アイシートの下半部にわたり縦設されたスリット１５により、アイシートを目の位置に貼着した後に、鼻筋において、アイシートの左半部及び右半部が自然に外向きに開き、これによりアイシートは人体の生理的形状に合わせるようになり、また、アイシートの貼着後、左半部及び右半部は中央の鼻筋を境に、自然にスリットの両側へ開き、面部及び目の位置によりよく貼着する。
実施例１８
【０１５３】
図２６は、本発明の多機能を有する自己温度調節型アイシートの実施例１８であり、実施例１７との相違点は、前記アイシート３０の両側に更に、耳掛け部３２１があり、耳掛け部３２１はアイシートの主体に接着され、耳掛け部３２１に耳に掛けるための孔３２２が開設されることである。耳掛け部３２１の設置により、使用時にアイシート３０を目の位置によく貼着することができ、移動したり脱落することが回避される。実施例１９
【０１５４】
図２４の実施例と比べ、該実施例において、保温層１３２の皮膚に近い表面上に、フィルムを使用者の身体の部位に固定するためのハイドロゲル層が更に設けられる。実際に使用するとき、上記したように、ハイドロゲル層にスキンケア製品の活性成分、又は他の外用薬の活性成分、サプリメントの活性成分が含まれ、本発明のフィルムは、防水保温機能のある保温層を有するため、ハイドロゲル中の水分が機能性材料キャリア層の発熱／冷却温度の限界値、発熱／冷却効果に影響することは回避される。
実施例２０
【０１５５】
図２７に示すように、実施例１７と比べ、該実施例は、機能性材料キャリア層４３１の両側に液体貯蔵キャビティ４３５が設けられ、該実施例において、液体貯蔵キャビティ４３５は、アイシートの左右両側にある耳掛け部４１に設けられ、液体貯蔵キャビティ４３５内に純水が充填され、且つ液体貯蔵キャビティ４３５と機能性材料キャリア層４３１は一体的にプレス加工され、両者は、従来のエアバッグによって包装された逆止弁付背圧弁４３６により互いに連通する。機能性材料キャリア層４３１の温度を調節し、又は温湿布後に冷湿布をしたいとき、手で液体貯蔵キャビティ４３５を押え付けると、液体貯蔵キャビティ４３５内の純水が機能性材料キャリア層４３１に入り、酢酸ナトリウム結晶体と混合し、吸熱反応を行い、これにより降温効果を果たすことができる。実際に使用するとき、純水の添加により、酢酸ナトリウムの過飽和溶液を希釈して濃度を下げ、これにより、機能性材料キャリア層４３１における酢酸ナトリウムの過飽和状態のバランスが破壊され、そのため、該フィルムを再使用するとき、その発熱温度が前回使用時の発熱温度よりわずかに低くなる。使用時に、純水がアイシートの底部に集中して、温度が不均一になることを防止するために、純水に増粘剤としてペクチンをわずかに添加する。
【０１５６】
実際に使用するとき、まず、ステンレス鋼による円形薄片４３１２を押え付けてアイシートを発熱させ、目の位置にスキンケア製品を塗布した後、アイシートを目の位置につけ、アイシートが室温まで冷却した後、手で液体貯蔵キャビティ４３５を押え付けると、液体貯蔵キャビティ４３５内の純水が機能性材料キャリア層４３１に入り、酢酸ナトリウム結晶体と混合し、酢酸ナトリウムが吸熱して降温させ、冷却後のアイシートを目の位置につけ、これにより温湿布後に冷湿布を行うことが実現し、スキンケア製品に対する吸収効果を向上させ、毛穴をより緻密にする。
実施例２１
【０１５７】
図２８は、本発明の多機能を有する自己温度調節型アイシートの実施例２１の概略図である。該実施例において、機能性材料キャリア層５３１に充填される発熱用化学材料は、尿素（１２０ｇ）であり、液体貯蔵キャビティ５３５内に純水（１２０ｇ）が充填され、且つ液体貯蔵キャビティ５３５と機能性材料キャリア層５３１は一体的にプレス加工され、両者は、従来のエアバッグによって包装された逆止弁付背圧弁５３６により互いに連通する。実施例２０と同様に、液体貯蔵キャビティ５３５は、アイシートの左右両側にある耳掛け部５１に設けられる。冷湿布をしたいとき、手で液体貯蔵キャビティ５３５を押え付けると、液体貯蔵キャビティ５３５内の純水が機能性材料キャリア層５３１に入り、尿素と混合し、尿素が溶解し、吸熱反応を行い、これにより降温効果を果たすことができる。
比較用実施例４
【０１５８】
比較用実施例は実施例２０のアイシートの設計と同じであり、相違点は、実施例２０における保温層を有しないだけであり、その使用方法も実施例２０と同じである。
【０１５９】
実施例２０及び比較用実施例４の使用中に、実施例２０のアイシートの発熱時間は３５分間持続するのに対し、比較用実施例４のアイシートの発熱時間（３７℃以上での持続時間）は、２０分間のみ継続する。実施例２０のアイシートの冷却時間（３７℃以下での持続時間）は３０分間持続するのに対し、比較用実施例４のアイシートの冷却時間は、２０分間のみ継続する。また、使用者によると、比較用実施例４のアイシートと比べ、実施例２０のフェイスマスクの発熱／冷却温度がより均一であり、アイシートを貼着したばかりに、非常に熱く又は冷たく感じられ、その後、温度が急激に上がったり下がったりすることはないという。比較用実施例４と比べ、実施例２０においてスキンケア製品がより完全に吸収され、使用者の皮膚含水量の測定値もより高かった。
【図１】
0006524212.tif 000002
【図２】
0006524212.tif 000003
【図３】
0006524212.tif 000004
【図４】
0006524212.tif 000005
【図５】
0006524212.tif 000006
【図６】
0006524212.tif 000007
【図７】
0006524212.tif 000008
【図８】
0006524212.tif 000009
【図９】
0006524212.tif 000010
【図１０】
0006524212.tif 000011
【図１１】
0006524212.tif 000012
【図１２】
0006524212.tif 000013
【図１３】
0006524212.tif 000014
【図１４】
0006524212.tif 000015
【図１５】
0006524212.tif 000016
【図１６】
0006524212.tif 000017
【図１７】
0006524212.tif 000018
【図１８】
0006524212.tif 000019
【図１９】
0006524212.tif 000020
【図２０】
0006524212.tif 000021
【図２１】
0006524212.tif 000022
【図２２】
0006524212.tif 000023
【図２３】
0006524212.tif 000024
【図２４】
0006524212.tif 000025
【図２５】
0006524212.tif 000026
【図２６】
0006524212.tif 000027
【図２７】
0006524212.tif 000028
【図２８】
0006524212.tif 000029